(57)【要約】【課題】投稿サイトを利用した新しい興趣のあるコンテンツの実現。【解決手段】携帯型ゲーム装置１４００は、ゲーム実行中（コンテンツ実行中）であっても投稿サイトにアクセスして、投稿データを取得することができる。そして、取得した投稿内容を解析して所定のキーワードが含まれている場合、当該キーワードに予め対応づけられている特典付与を実行する。特典としては、プレーヤキャラクタへのアイテム付与、能力パラメータの変更などを適宜設定することができる。【選択図】図７
2013059570.tif 000002
【特許請求の範囲】
【請求項１】
ユーザの投稿に対して他ユーザが応答投稿をすることが可能な所定の投稿サイトに通信接続可能なコンピュータに、所与のコンテンツを実行させるためのプログラムであって、
プレーヤを投稿者とする前記投稿サイトへの投稿を実行制御する投稿制御手段、
前記投稿制御手段による投稿に対する応答投稿のデータを取得する応答投稿データ取得手段、
前記投稿制御手段による投稿及び／又は当該投稿に対する応答投稿の内容を解析する投稿解析手段、
前記投稿解析手段による解析結果に基づいてコンテンツの進行を制御する投稿内容対応進行制御手段、
として前記コンピュータを機能させるためのプログラム。
【請求項２】
コンテンツの進行状況が所定の自動投稿条件を満たしたことを検知する検知手段として前記コンピュータを更に機能させるとともに、
前記投稿制御手段が、前記検知手段による検知が有った場合に、プレーヤを投稿者とする前記投稿サイトへの自動投稿を実行制御する自動投稿制御手段を有し、
前記投稿解析手段が、少なくとも前記自動投稿に対する応答投稿の内容を解析する、
ように前記コンピュータを機能させるための請求項１に記載のプログラム。
【請求項３】
前記投稿サイトへの新規投稿を作成する新規投稿作成手段として前記コンピュータを更に機能させるとともに、
前記投稿制御手段が、前記プレーヤを投稿者とする前記投稿サイトへの前記新規投稿を実行制御するフリー投稿制御手段を有し、
前記投稿解析手段が、少なくとも前記新規投稿の内容を解析する、
ように前記コンピュータを機能させるための請求項１又は２に記載のプログラム。
【請求項４】
前記投稿サイトは、各ユーザが追跡対象ユーザを設定登録可能であり、
プレーヤの追跡対象ユーザの投稿のデータを取得する追跡対象ユーザ投稿データ取得手段として前記コンピュータを更に機能させるとともに、
前記投稿解析手段が、前記追跡対象ユーザの投稿の内容を更に解析する追跡対象ユーザ投稿解析手段を有し、
前記投稿内容対応進行制御手段が、前記追跡対象ユーザ投稿解析手段による解析結果に基づいてコンテンツの進行を制御する、
ように前記コンピュータを機能させるための請求項１〜３の何れか一項に記載のプログラム。
【請求項５】
所与の特定ユーザの投稿のデータを取得する特定ユーザ投稿データ取得手段として前記コンピュータを更に機能させるとともに、
前記投稿解析手段が、前記特定ユーザの投稿の内容を更に解析する特定ユーザ投稿解析手段を有し、
前記投稿内容対応進行制御手段が、前記特定ユーザ投稿解析手段による解析結果に基づいてコンテンツの進行を制御する、
ように前記コンピュータを機能させるための請求項１〜４の何れか一項に記載のプログラム。
【請求項６】
前記投稿解析手段が、解析対象の投稿に含まれるキーワードを抽出し、
前記投稿内容対応進行制御手段が、前記投稿解析手段により抽出されたキーワードに予め対応づけられた処理を実行する、
ように前記コンピュータを機能させるための請求項１〜５の何れか一項に記載のプログラム。
【請求項７】
前記投稿内容対応進行制御手段が、前記投稿解析手段により抽出されたキーワードに予め対応づけられた処理として、当該キーワードに対応づけられた特典を付与する処理を実行する、
ように前記コンピュータを機能させるための請求項６に記載のプログラム。
【請求項８】
前記投稿解析手段が、投稿に含まれているキーワード別に応答投稿を集計するキーワード別集計手段を有し、
前記投稿内容対応進行制御手段が、前記キーワード別集計手段の集計結果を用いてゲーム進行を制御する、
ように前記コンピュータを機能させるための請求項１〜７の何れか一項に記載のプログラム。
【請求項９】
前記集計結果を前記投稿サイトへ投稿する集計結果投稿制御手段として前記コンピュータを更に機能させるための請求項８に記載のプログラム。
【請求項１０】
請求項１〜９の何れか一項に記載のプログラムを記憶したコンピュータ読取り可能な情報記憶媒体。
【請求項１１】
ユーザの投稿に対して他ユーザが応答投稿をすることが可能な所定の投稿サイトに通信接続可能であり、所与のコンテンツを実行する端末装置であって、
プレーヤを投稿者とする前記投稿サイトへの投稿を実行制御する投稿制御手段と、
前記投稿制御手段による投稿に対する応答投稿のデータを取得する応答投稿データ取得手段と、
前記投稿制御手段による投稿及び／又は当該投稿に対する応答投稿の内容を解析する投稿解析手段と、
前記投稿解析手段による解析結果に基づいてコンテンツの進行を制御する投稿内容対応進行制御手段と、
を備えた端末装置。
【請求項１２】
ユーザの投稿に対して他ユーザが応答投稿をすることが可能な所定の投稿サイトに通信接続可能であり、端末装置と通信接続して所与のコンテンツの実行を制御サーバであって、
プレーヤを投稿者とする前記投稿サイトへの投稿を実行制御する投稿制御手段と、
前記投稿制御手段による投稿に対する応答投稿のデータを取得する応答投稿データ取得手段と、
前記投稿制御手段による投稿及び／又は当該投稿に対する応答投稿の内容を解析する投稿解析手段と、
前記投稿解析手段による解析結果に基づいてコンテンツの進行を制御する投稿内容対応進行制御手段と、
を備えたサーバ。
【発明の詳細な説明】
【技術分野】
【０００１】
本発明は、ユーザの投稿に対して他ユーザが応答投稿をすることが可能な所定の投稿サイトと通信接続可能なコンピュータに所与のコンテンツを実行させるためのプログラム等に関する。
【背景技術】
【０００２】
インターネット上には様々なウェブサイトが存在し、その中には「投稿サイト」と呼ばれるものがある。投稿サイトでは、所定のウェブページにアクセスした装置がテキストデータや映像データなどを受信することで、情報を広く閲覧可能に配信することができる。
【０００３】
近年では、投稿サイトにゲーム攻略のための情報やゲームプレイ中の動画をゲームプレーヤが投稿し、プレーヤ同士でそれらを閲覧して相互のコミュニケーションを高める利用形態が見られるようになった。これに関連して、例えば、投稿された内容を閲覧可能に配信する際に、閲覧要求者のゲーム進行状況のデータを要求して当該データが示す状況よりも先のゲーム状況に言及する投稿の閲覧を制限することで、いわゆる「ネタバレ」を防止する手法も考え出されるようになった（例えば、特許文献１参照）。
【先行技術文献】
【特許文献】
【０００４】
【特許文献１】特開２０１０−４６１５９号公報
【発明の概要】
【発明が解決しようとする課題】
【０００５】
さて、投稿サイトによっては、ある投稿に対する返答や、ある投稿について言及する投稿を選択し、選択された投稿のみを閲覧させる機能を実現しているものがある。更には、ユーザが予め追跡対象とする他のユーザ名を設定・登録しておくと、追跡対象者による投稿を自動的に選抜して閲覧可能に自動配信するサービスを提供するものも知られる。ちなみにこうした機能を備えた投稿サイトとしては、例えば「twitter」（登録商標）が知られるところであり、追跡対象の設定は「twitter」におけるフォローの設定がこれに該当する。こうした機能は、広く周知されるようになったが、従来のビデオゲームではこうした投稿サイトの特徴を十分に利用しているものは無かった。
また、上述した課題はゲームそのものに限らず、プレーヤ（ユーザ）の操作等に応じて変化する動画や小説、音楽の類のコンテンツにも該当する。ゲームを含め、これらをまとめて以下「コンテンツ」と言う。
【０００６】
本発明は、投稿サイトを利用した新しい興趣のあるコンテンツの実現を目的とする。
【課題を解決するための手段】
【０００７】
上述した課題を解決するための第１の形態は、ユーザの投稿に対して他ユーザが応答投稿をすることが可能な所定の投稿サイトに通信接続可能なコンピュータに、所与のコンテンツを実行させるためのプログラムであって、
プレーヤを投稿者とする前記投稿サイトへの投稿を実行制御する投稿制御手段（例えば、図３２の処理部２００、ゲーム制御部２０３、自動投稿制御部２２４、図１４の自動投稿設定データ５５４、図３５のステップＳ１２２）、
前記投稿制御手段による投稿に対する応答投稿のデータを取得する応答投稿データ取得手段（例えば、図３２の処理部２００、ゲーム制御部２０３、投稿データ取得制御部２１２、通信制御部２７０、通信部３７０、図３５のステップＳ１３４〜Ｓ１３８）、
前記投稿制御手段による投稿及び／又は当該投稿に対する応答投稿の内容を解析する投稿解析手段（例えば、図３２の処理部２００、ゲーム制御部２０３、投稿解析部２２９、図３５のステップＳ１５１）、
前記投稿解析手段による解析結果に基づいてコンテンツの進行を制御する投稿内容対応進行制御手段（例えば、図３２の処理部２００、ゲーム制御部２０３、投稿対応進行制御部２３０、図１５の特典設定データ５８０、図３５のステップＳ１５２）、
として前記コンピュータを機能させるためのプログラムである。
【０００８】
また、別形態として、ユーザの投稿に対して他ユーザが応答投稿をすることが可能な所定の投稿サイトに通信接続可能であり、所与のコンテンツを実行する端末装置であって、プレーヤを投稿者とする前記投稿サイトへの投稿を実行制御する投稿制御手段と、前記投稿制御手段による投稿に対する応答投稿のデータを取得する応答投稿データ取得手段と、前記投稿制御手段による投稿及び／又は当該投稿に対する応答投稿の内容を解析する投稿解析手段と、前記投稿解析手段による解析結果に基づいてコンテンツの進行を制御する投稿内容対応進行制御手段と、を備えた端末装置を構成することができる（第１１の形態）。
【０００９】
また、サーバを用いてコンテンツを利用する構成においては、
第１２の形態として、ユーザの投稿に対して他ユーザが応答投稿をすることが可能な所定の投稿サイトに通信接続可能であり、端末装置と通信接続して所与のゲコンテンツの実行を制御するサーバであって、プレーヤを投稿者とする前記投稿サイトへの投稿を実行制御する投稿制御手段と、前記投稿制御手段による投稿に対する応答投稿のデータを取得する応答投稿データ取得手段と、前記投稿制御手段による投稿及び／又は当該投稿に対する応答投稿の内容を解析する投稿解析手段と、前記投稿解析手段による解析結果に基づいてコンテンツの進行を制御する投稿内容対応進行制御手段と、を備えたサーバ（例えば、第１又は第２実施形態におけるゲームサーバシステム１１３０）を構成することができる。
【００１０】
第１の形態や第１２の形態等によれば、プレーヤを投稿者とする投稿サイトへの投稿及び／又は当該投稿に対する応答投稿の内容を解析した結果に基づいてコンテンツの進行を制御することができる。よって、投稿主の個性にあふれ投稿内容がコンテンツの進行に影響を与えると言った新しい興趣をもたらすことができる。
【００１１】
第２の形態は、コンテンツの進行状況が所定の自動投稿条件を満たしたことを検知する検知手段（例えば、図３２の処理部２００、ゲーム制御部２０３、自動投稿状況検出部２２２、図３５のステップＳ１００）として前記コンピュータを更に機能させるとともに、
前記投稿制御手段が、前記検知手段による検知が有った場合に、プレーヤを投稿者とする前記投稿サイトへの自動投稿を実行制御する自動投稿制御手段（例えば、図３２の処理部２００、ゲーム制御部２０３、自動投稿制御部２２４、図１４の自動投稿設定データ５５４、図３５のステップＳ１２２）を有し、
前記投稿解析手段が、少なくとも前記自動投稿に対する応答投稿の内容を解析するように前記コンピュータを機能させるための第１の形態のプログラムである。
【００１２】
第２の形態によれば、第１の形態と同様の効果を得ることができるとともに、プレーヤを投稿主とする投稿であれば、コンテンツの行に応じてコンテンツの一機能として自動実行される投稿であってもその内容を解析した結果に基づいてコンテンツの進行を制御することができる。
【００１３】
第３の形態は、前記投稿サイトへの新規投稿を作成する新規投稿作成手段（例えば、図３２の処理部２００、ゲーム制御部２０３、フリー投稿制御部２０８、図３４のステップＳ７０〜Ｓ７２）として前記コンピュータを更に機能させるとともに、
前記投稿制御手段が、前記プレーヤを投稿者とする前記投稿サイトへの前記新規投稿を実行制御するフリー投稿制御手段（例えば、図３２の処理部２００、ゲーム制御部２０３、フリー投稿制御部２０８、図３４のステップＳ７４〜Ｓ７６）を有し、
前記投稿解析手段が、少なくとも前記新規投稿の内容を解析する（例えば、図３７のフリー投稿対応進行制御部２３０ｃ）、ように前記コンピュータを機能させるための第１又は第２の形態のプログラムである。
【００１４】
第３の形態によれば、第１又は第２の形態と同様の効果が得られるとともに、コンテンツ利用中であってもプレーヤは自由に投稿サイトへ投稿することが可能となり、しかもその内容によってコンテンツの進行を変化させることができるようになる。
【００１５】
第４の形態は、前記投稿サイトが、各ユーザが追跡対象ユーザを設定登録可能であり、プレーヤの追跡対象ユーザの投稿のデータを取得する追跡対象ユーザ投稿データ取得手段（例えば、図３２の処理部２００、ゲーム制御部２０３、投稿データ取得制御部２１２、図３６のステップＳ２４０〜Ｓ２４４）として前記コンピュータを更に機能させるとともに、前記投稿解析手段が、前記追跡対象ユーザの投稿の内容を更に解析する追跡対象ユーザ投稿解析手段（例えば、図３２の処理部２００、ゲーム制御部２０３、投稿解析部２２９、図３６のステップＳ２４８）を有し、前記投稿内容対応進行制御手段が、前記追跡対象ユーザ投稿解析手段による解析結果に基づいてコンテンツの進行を制御する、ように前記コンピュータを機能させるための第１〜第３の何れかの形態のプログラムである。
【００１６】
第４の形態によれば、第１〜第３の形態の何れかと同様の効果が得られるとともに、プレーヤが注目している人物すなわち追跡対象ユーザの投稿内容に基づいてコンテンツの進行を制御することができる。
【００１７】
第５の形態は、所与の特定ユーザの投稿のデータを取得する特定ユーザ投稿データ取得手段（例えば、図３８の投稿データ取得制御部２１２、特定ユーザ投稿データ取得部２１２ａ）として前記コンピュータを更に機能させるとともに、
前記投稿解析手段が、前記特定ユーザの投稿の内容を更に解析する特定ユーザ投稿解析手段（例えば、図３９の投稿解析部２２９、特定ユーザ投稿解析部２２９ａ）を有し、
前記投稿内容対応進行制御手段が、前記特定ユーザ投稿解析手段による解析結果に基づいてコンテンツの進行を制御する、ように前記コンピュータを機能させるための第１〜第４の何れかの形態のプログラムである。
【００１８】
第５の形態によれば、第１〜第４の形態の何れかと同様の効果が得られるとともに、プレーヤに関係するか否かに関わらず特定ユーザの投稿を利用してコンテンツの進行制御をすることができるようになる。例えば、コンテンツメーカが運用する疑似人格プログラムにより実現されるいわゆる「ボット（ｂｏｔ）」を特定ユーザとすれば、適宜コンテンツメーカがコンテンツの進行制御に影響を与えることが可能となる。或いは、ユーザコミュニティで話題の実在の人物（例えば芸能人）を特定ユーザとすれば、同じコンテンツをプレイするプレーヤの中での話題作りにもなる。
【００１９】
投稿サイトが、主にテキストの投稿を主体としていることを鑑みれば、
第６の形態として、前記投稿解析手段が、解析対象の投稿に含まれるキーワードを抽出し、前記投稿内容対応進行制御手段が、前記投稿解析手段により抽出されたキーワードに予め対応づけられた処理を実行する、ように前記コンピュータを機能させるための第１〜第５の何れかの形態のプログラムを構成すると好適である。
【００２０】
更に、第７の形態として、前記投稿内容対応進行制御手段が、前記投稿解析手段により抽出されたキーワードに予め対応づけられた処理として、当該キーワードに対応づけられた特典を付与する処理を実行する、ように前記コンピュータを機能させるための第６の形態のプログラムを構成すると、より一層好適である。
【００２１】
第８の形態は、前記投稿解析手段が、投稿に含まれているキーワード別に応答投稿を集計するキーワード別集計手段を有し、前記投稿内容対応進行制御手段が、前記キーワード別集計手段の集計結果を用いてコンテンツの進行を制御する、ように前記コンピュータを機能させるための第１〜第７の何れかの形態のプログラムである。
【００２２】
第８の形態によれば、キーワードを含む応答投稿がどれだけあったかに応じてコンテンツの進行を制御することができる。
【００２３】
第９の形態は、前記集計結果を前記投稿サイトへ投稿する集計結果投稿制御手段として前記コンピュータを更に機能させるための第８の形態のプログラムである。
【００２４】
第９の形態によれば、第８の形態と同様の効果が得られるとともに、さらにキーワード別の集計結果を投稿サイトへ投稿することができる。
【００２５】
第１０の形態は、第１〜第９の形態の何れかのプログラムを記憶したコンピュータ読取可能な情報記憶媒体である。ここで言う「情報記憶媒体」とは、例えば磁気ディスクや光学ディスク、ＩＣメモリなどを含む。
第１０の形態によれば、第１〜第９の形態の何れかのプログラムをコンピュータに読み取らせて実行させることによって、コンピュータに第１〜第９の形態の何れかと同様の効果を発揮させることができる。
【図面の簡単な説明】
【００２６】
【図１】第１実施形態におけるシステム構成例を示す図。
【図２】全投稿蓄積データのデータ構成の一例を示す図。
【図３】携帯型ゲーム装置の構成例を示す斜視外観図。
【図４】ゲーム画面例を示す図。
【図５】ゲーム画面例を示す図。
【図６】ゲーム画面例を示す図。
【図７】投稿サイトを利用したゲーム進行制御の特徴を説明するための図。
【図８】イベント結果の判定の概念と、ゲーム画面の表示を示す図。
【図９】投稿ビュワーウィンドウにおける表示レイアウト例を示す図。
【図１０】第１実施形態における投稿ビュワーウィンドウで時系列表示させるためのデータをどのように取得するかを示した概念図。
【図１１】第１実施形態における携帯型ゲーム装置の機能構成例を示す機能ブロック図。
【図１２】時系列表示形態設定データのデータ構成の一例を示す図。
【図１３】第１実施形態におけるゲームサーバシステムの機能構成例を示す機能ブロック図。
【図１４】自動投稿設定データのデータ構成の一例を示す図。
【図１５】特典設定データのデータ構成の一例を示す図。
【図１６】プレイデータのデータ構成の一例を示す図。
【図１７】第１実施形態における処理の流れを説明するためのフローチャート。
【図１８】図１７より続くフローチャート。
【図１９】図１８より続くフローチャート。
【図２０】図１９より続くフローチャート。
【図２１】図２０より続くフローチャート。
【図２２】第２実施形態における投稿ビュワーウィンドウで時系列表示させるためのデータをどのように取得するかを示した概念図。
【図２３】第２実施形態における携帯型ゲーム装置の機能構成例を示す機能ブロック図。
【図２４】第２実施形態におけるゲームサーバシステムの機能構成例を示す機能ブロック図。
【図２５】第２実施形態における処理の流れを説明するためのフローチャート。
【図２６】図２５より続くフローチャート。
【図２７】図２６より続くフローチャート。
【図２８】図２７より続くフローチャート。
【図２９】図２８より続くフローチャート。
【図３０】図２９より続くフローチャート。
【図３１】第３実施形態における投稿ビュワーウィンドウで時系列表示させるためのデータをどのように取得するかを示した概念図。
【図３２】第３実施形態における携帯型ゲーム装置の機能構成例を示す機能ブロック図。
【図３３】第３実施形態における記憶部に記憶されるデータ例を示す図。
【図３４】第３実施形態における処理の流れを説明するためのフローチャート。
【図３５】図３４より続くフローチャート。
【図３６】図３５より続くフローチャート。
【図３７】投稿対応進行制御部の変形例を示す図。
【図３８】投稿データ取得制御部の変形例を示す図。
【図３９】投稿解析部の変形例を示す図。
【発明を実施するための形態】
【００２７】
以下、「コンテンツ」の一例としてゲームを適用した場合の実施形態を説明する。
〔第１実施形態〕
本発明を適用した第１実施形態として、マルチプレーヤ型のオンラインＲＰＧ（ロールプレイングゲーム）を実行するケースを例に挙げて説明する。
【００２８】
［システムの構成例］
図１は、本実施形態におけるシステムの構成の一例を示す図である。
本実施形態におけるシステムには、投稿サイトサーバシステム１１００と、ゲームサーバシステム１１３０と、プレーヤ３毎に用意される携帯型ゲーム装置１４００と、通信回線１が含まれる。尚、サーバシステムは、単数又は複数のサーバ装置や適宜入出力装置を含んで構成され、協調してサーバ機能を実現する機器群の意味である。
【００２９】
次に、システムを構成する要素について具体的に説明する。
通信回線１は、直接接続のための専用線（専用ケーブル）やイーサネット（登録商標）等によるＬＡＮ（Local Area Network）の他、電話通信網やケーブル網、インターネット等の通信網を含む意味であり、また、通信方法については有線／無線を問わない。投稿サイトサーバシステム１１００と、ゲームサーバシステム１１３０と、携帯型ゲーム装置１４００は、この通信回線１を介してデータ通信をすることができる。
【００３０】
投稿サイトサーバシステム１１００は、投稿サイトのサービスを実現するサーバシステムである。投稿サイトにてユーザ登録をすることによってアカウントが付与される。このアカウントの付与に伴い設定した投稿サイトユーザ名及びパスワード等のアカウント情報を用いることで、投稿サイトにアクセスし認証を受け、様々なサービスを受けることができるようになる。投稿サイトのサービスの一部として、投稿サイトへの投稿や、他ユーザの投稿を閲覧すること（より具体的には、閲覧とは投稿されたデータを取得することの意味である。）が可能になる。
【００３１】
本実施形態の投稿サイトサーバシステム１１００が提供する投稿サイトは、ユーザ毎に他ユーザを「追跡対象」として設定・登録するサービスを有しており、追跡対象に設定された他ユーザの投稿は自動的に選別され選択的に閲覧可能になる。そして、当該投稿サイトでは、他ユーザの投稿に関連づけて再投稿（返信含む）や引用投稿（言及も含む）をすることができる。再投稿や引用投稿などを、本明細書では纏めて「応答投稿」と言う。こうした投稿サイトのサービスは、例えば「ｔｗｉｔｔｅｒ（ツイッター：登録商標）」などで実現される。
【００３２】
投稿サイトサーバシステム１１００は、ストレージ１１０１を備えており投稿サイトを実現するための各種データを記憶している。例えば、全ての投稿に関するデータを時系列に格納する全投稿蓄積データ１１０２や、複数のアカウント登録データ１１１０を記憶する。
【００３３】
全投稿蓄積データ１１０２は、投稿に関する情報を時系列に蓄積したデータであって、投稿がなされるとその都度更新される。
具体的には、例えば図２に示すように、（１）投稿者の仮の呼び名に当たる投稿サイトユーザ名１１０４と、（２）投稿閲覧時に投稿内容に付属して表示されるユーザアイコン１１０５と、（３）投稿された日時を示すタイムスタンプ１１０６と、（４）投稿内容１１０８などが対応付けて格納される。これ以外にも、投稿した際の携帯型ゲーム装置１４００の位置情報、姿勢情報などを適宜対応づけて格納することもできる。本明細書では、これらの一纏まりを「投稿データ」と呼ぶ。
【００３４】
ユーザアイコン１１０５は、ユーザが別途選択或いは指定することができる。
投稿内容１１０８には、少なくともテキストデータが含まれている。投稿内容１１０８には一定の書式ルールが適用されており、応答投稿（再投稿や引用投稿）の場合には投稿文末に「＠」とそれに続いて応答投稿をする元になった投稿主（投稿者に同じ意味）のユーザ名を記載することになっている。つまり、応答投稿の元になった投稿又は元になった投稿をした投稿サイトユーザ名１１０４を参照可能になっている。尚、投稿内容１１０８に含まれる情報は、投稿サイトのサービス内容に応じて変わりえる。例えば、テキストデータに限らず、画像、音声、位置情報なども投稿内容に含めることもできる。
【００３５】
アカウント登録データ１１１０は、アカウント情報の記憶原本に相当する。アカウント登録データ１１１０は、ユーザ登録する都度に新たに生成され、一度アカウントを取得した後は任意のタイミングでユーザが登録内容を変更することができる。登録内容としては、投稿サイトユーザ名やパスワード、ユーザアイコン１１１５、追跡対象とするユーザ名のリストである追跡対象リスト１１１６を含む。勿論、その他の情報（例えば、住所、メールアドレス、使用する携帯型ゲーム装置１４００の種類など）を適宜含めることができる。
【００３６】
ゲームサーバシステム１１３０は、本実施形態におけるオンラインゲームを実行するためのサーバ機能と、ゲーム参加のために最初にアクセスするゲームサイトのサービス機能とを実現する。例えば、（１）プレーヤの登録手続き、及びそれにより生成されるプレーヤの個人情報を含む登録プレーヤデータの管理、（２）オンラインゲームに必要なクライアントプログラムやデータの配信、（３）マルチプレーヤ型オンラインゲームの進行制御などを実行することができる。
【００３７】
携帯型ゲーム装置１４００は、コンピュータであり、ゲーム目的に利用される端末装置（電子機器）としてだけでなく、通信回線１を介して投稿サイトサーバシステム１１００にアクセスして投稿サイトのサービスを利用する端末装置としても機能する。尚、本実施形態では、プレーヤは予め投稿サイトにユーザ登録を済ませてアカウントを取得しているものとする。
【００３８】
図３は、携帯型ゲーム装置１４００の構成の一例を示す斜視外観図である。
携帯型ゲーム装置１４００は、本発明を適用したゲーム装置にあたる。携帯型ゲーム装置１４００は、方向入力キー１４０２及びボタンスイッチ１４０４と、第１液晶ディスプレイ１４０６と、第２液晶ディスプレイ１４０８と、スピーカ１４１０と、イメージセンサモジュール１４１５と、制御ユニット１４５０とを、ヒンジ１４１４で開閉自在な折り畳み型の装置本体１４０１に備えている。そして、第１液晶ディスプレイ１４０６及び第２液晶ディスプレイ１４０８の表示面上には、スタイラスペン１４１６や指などで触れることによって表示画面の任意位置を接触入力することのできるタッチパネル１４０７、１４０９がそれぞれ装着されている。
【００３９】
また、装置本体１４０１には、コンピュータ読み出し可能な情報記憶媒体であるメモリカード１４４０からデータを読み書きできるメモリカード読取装置１４１８が備えられている。またその他、装置本体１４０１には、図示されていない内蔵バッテリーや電源ボタン、音量調節ボタン等が設けられている。
【００４０】
制御ユニット１４５０は、ゲーム装置の制御基板に相当し、ＣＰＵ（Central Processing Unit）やＧＰＵ（Graphics Processing Unit）、ＤＳＰ（Digital Signal Processor）などの各種マイクロプロセッサ、ＡＳＩＣ（Application Specific Integrated Circuit）、ＶＲＡＭやＲＡＭ，ＲＯＭ等の各種ＩＣメモリを搭載する。
【００４１】
加えて、制御ユニット１４５０には、通信回線１に接続するための（具体的には、例えば無線基地局と無線接続するための）無線通信モジュール１４１２や、第１液晶ディスプレイ１４０６及び第２液晶ディスプレイ１４０８のドライバ回路、タッチパネル１４０７及びタッチパネル１４０９のドライバ回路、方向入力キー１４０２及びボタンスイッチ１４０４からの信号を受信する回路、スピーカ１４１０へ音声信号を出力するためのアンプ回路、メモリカード読取装置１４１８への信号入出力回路といった所謂Ｉ／Ｆ回路（インターフェース回路）、３軸加速度センサ１４２２、ＧＰＳ衛星や無線基地局から位置情報を取得する位置情報取得モジュール１４２４、が搭載されている。これら制御ユニット１４５０に搭載されている各要素は、それぞれバス回路を介して電気的に接続され、データの読み書きや信号の送受信が可能に接続されている。
【００４２】
そして、制御ユニット１４５０は、ゲームサーバシステム１１３０からゲームプログラムをダウンロードし、搭載するＩＣメモリにこれらを一時記憶する。そして、ダウンロードしたプログラムを実行して演算処理を実行し、方向入力キー１４０２やボタンスイッチ１４０４、タッチパネル１４０７及び１４０９からの操作入力に応じて携帯型ゲーム装置１４００の各部を制御して、ビデオゲームを実行する。
尚、ゲームプログラムは、ゲームサーバシステム１１３０からダウンロードして取得する形態に限らず、メモリカード１４４０から読み出す構成としても良い。
【００４３】
［ゲームの概要］
次に、本実施形態におけるビデオゲームについて説明する。本実施形態のビデオゲームは、マルチプレーヤ型のオンラインＲＰＧでありながら、投稿サイトを利用するためのアプリケーションとしても機能する。例えば、プレーヤはゲーム中であっても投稿サイトへ自由に新たな投稿をすることができる。本明細書ではこれを「フリー投稿」と呼ぶ。そして、投稿サイトから投稿に関する情報（投稿データ）を取得して、ゲーム画面内で閲覧することができる。
【００４４】
また、本実施形態のビデオゲームでは、ゲーム中に投稿サイトを利用することで、次の様な特徴を有する。
第１に、特定のゲーム進行状況を検出すると、プレーヤを投稿主として投稿サイトに自動投稿を実行することができる。本実施形態では、その投稿内容が、投稿サイトユーザへ当該自動投稿に対して返信や言及する投稿（本明細書では「応答投稿」と呼ぶ。）を要請する内容である。そして、応答投稿の内容に応じたゲームの進行制御を実行することができる。尚、「特定のゲーム進行状況」としては、イベントの発生、プレーヤキャラクタの状況（ヒットポイント（ＨＰ）の値、装備品、レベルなど）などおよそゲーム進行の様々な状況を適宜設定することができる。また「自動投稿」とは、自動的に投稿サイトにアクセスし、投稿する手順を自動化する意味であって、プレーヤの操作入力を全く排除した自動処理のみに限ったものではない。プレーヤ操作を受け入れて投稿内容を編集することも含む意味である。すなわち、いわゆる半自動も含む。
第２に、プレーヤが追跡対象としている投稿サイトユーザ（追跡対象ユーザ）の投稿内容に応じたゲーム進行制御もできる。
【００４５】
では、図４〜図８を参照しながらゲームの概要を具体的に説明する。尚、これらの図においてゲーム画面例を表示する場合、携帯型ゲーム装置１４００が備える第１液晶ディスプレイ１４０６及び第２液晶ディスプレイ１４０８それぞれで表示されるゲーム画面を別々に例示するが、ディスプレイが一つの場合には別々に分けているものを一つの画面としてレイアウトすると良い。
【００４６】
本実施形態では、携帯型ゲーム装置１４００で、ゲームサーバシステム１１３０にアクセスして、所定のクライアントプログラム（或いはスクリプトデータ）をダウンロードしこれを実行する。クライアントプログラムを実行することにより、ゲームに参加し、操作入力信号をゲームサーバシステム１１３０へ送信できるようになる。そして、ゲームサーバシステム１１３０から送信されるゲーム画像データ等に基づいてゲーム画像を生成して、ゲームを楽しむことができる。
【００４７】
ゲームを開始するにあたっては、ゲーム中に投稿サイトを利用するために、プレーヤが予め取得している投稿サイトユーザとしてのアカウント情報を入力する必要が有る。例えば、図４に示すように、プレーヤが予め取得している投稿サイトのアカウント情報（投稿サイトユーザ名やパスワード等）の入力を促す入力画面Ｗ４ａ，Ｗ４ｂが表示される。
【００４８】
入力画面Ｗ４ｂにはソフトウェアキーボード６が表示され、適宜タッチ操作によって、投稿サイトユーザ名及びパスワードを入力することができる。本実施形態では、入力されたアカウント情報はゲームサーバシステム１１３０へ提供され、携帯型ゲーム装置１４００やゲームサーバシステム１１３０は、入力されたアカウント情報をもって投稿サイトの認証を受けてゲーム終了まで有効な投稿サイトの利用署名データを生成し、以降は認証手続きを簡略化してゲーム中であっても投稿サイトサーバシステム１１００への投稿や各種情報の取得が可能となる。また、本実施形態においては、入力された投稿サイトユーザ名は、ゲーム内におけるプレーヤ名として登録されることとする。但し、投稿サイトユーザ名とプレーヤ名とを別個にし、対応付けて登録しておいて、相互に変換可能にする構成としてもよいことは勿論である。
【００４９】
所定のゲーム開始操作をするとゲームが開始され、携帯型ゲーム装置１４００では、例えば図５に示すようなゲーム画面Ｗ６ａ，Ｗ６ｂが表示される。
ゲーム画面Ｗ６ａの画面上部には、ゲームフィールドにおけるプレーヤキャラクタ５の様子が描かれる。これを「ゲーム画像」と呼ぶ。同画面下部には投稿ビュワーウィンドウ１０が表示される。この投稿ビュワーウィンドウ１０は、プレーヤへ向けてゲームの状況を説明する為の解説やキャラクタの台詞等のゲームテキストの表示エリアとしての機能を果たすとともに、携帯型ゲーム装置１４００がゲームプレイ中に、適当なタイミングで投稿サイトから取得した投稿内容を表示する表示エリアとしての機能を果たす。投稿ビュワーウィンドウ１０では、ゲームテキストや投稿内容が、それぞれ一つの事柄として時系列に表示される。
【００５０】
具体的には、ゲームテキストや各種投稿は、アイコンとテキスト表示部とを横並びにした１つの表示単位を形成される点では共通するが、種類によって固有の表示形態で表示される。例えば、ゲームテキストならば、プレーヤキャラクタのキャラクタアイコン１２と、テキスト表示部１３とで表示単位が構成される。プレーヤによるフリー投稿ならば投稿サイトにて予め登録されているプレーヤのユーザアイコン１４とテキスト表示部１５とで表示単位が構成される。応答投稿であれば当該投稿の投稿主のユーザアイコン１６とテキスト表示部１７とで表示単位が構成される（図７参照）。そして、テキスト表示部１３，１５，１７は、枠のデザインがそれぞれ異なり、その形状でどういった種類の表示であるかを認識し易いようになっている。
【００５１】
ゲーム画面Ｗ６ｂでは、表示カテゴリをタブの選択により切換表示可能になっている。例えば、図５の例では、「投稿の編集」のタブが選択された状態にあり、プレーヤがフリー投稿をするための投稿内容の入力欄２０や、ソフトウェアキーボード２１、投稿実行操作入力アイコン２２が表示される。プレーヤが、ソフトウェアキーボード２１をタッチ操作して投稿内容を編集し、投稿実行操作入力アイコン２２をタッチ操作すると、携帯型ゲーム装置１４００から投稿サイトへプレーヤを投稿主として編集された内容の投稿が作成されて投稿される（フリー投稿）。投稿されたフリー投稿は、投稿ビュワーウィンドウ１０にて表示されることになる。
【００５２】
尚、「ステータス」のタブを選択すると、プレーヤキャラクタ５のヒットポイントやレベル、所持品などの表示欄、装備品の設定欄などが表示される。「行動選択」のタブを選択すると、プレーヤキャラクタ５の行動の選択欄が表示され、プレーヤキャラクタ５のおおまかな行動目的や思考パターンを選択・設定できるようになる。ここで設定した情報はゲームサーバシステム１１３０へ送信され、ゲームサーバシステム１１３０にてプレーヤキャラクタ５の行動をシミュレーションするために参照される。
【００５３】
ゲームが進行し、自動投稿条件を満たす特定のゲーム進行状況になると、携帯型ゲーム装置１４００は自動投稿を実行する。
図６は、特定のゲーム進行状況におけるゲーム画面例を示す図である。ゲーム画面Ｗ８ａで示すように、本実施形態ではゲームフィールド上でプレーヤキャラクタ５と敵ＮＰＣ９とが、戦闘イベント（遭遇戦イベント）の移行条件である遭遇（エンカウント）に該当したと判定される場合、自動投稿条件を満たす特定のゲーム進行状況であると判定され自動投稿が行われる。
【００５４】
本実施形態では、自動投稿を実行するに当たり、投稿内容をプレーヤが一部修正可能になっている。具体的には、ゲーム画面Ｗ８ｂに示すように、自動的に「投稿の編集」タブが選択されるとともに、キャラクタアイコン１２と並んで自動投稿の編集欄２３が表示され、またソフトウェアキーボード２１と、投稿実行操作入力アイコン２２とが表示される。
【００５５】
自動投稿の編集欄２３には、自動選択された投稿例文（投稿サイトユーザにこれから行う自動投稿に関する返信、言及、再投稿などを要請する旨の雛形；図中の「救援求む！」の部分）が表示され、プレーヤはソフトウェアキーボード２１をタッチ操作して、これから投稿される内容を修正することができる（図中の「誰かｗｗｗｗ」の部分がそれに該当）。そして、投稿実行操作入力アイコン２２をタッチ操作すると、携帯型ゲーム装置１４００は、編集された内容を、プレーヤを投稿主として投稿サイトへ投稿する（応答要請自動投稿）。尚、応答要請自動投稿が実行されると、「投稿の編集」タブが選択された状態で表示される内容は、フリー投稿用の表示形態に戻される。また、応答要請自動投稿には、当該投稿がゲームに関連する投稿であることを示す情報や、そのとき実行されていたイベントの種別を識別することのできる情報（例えば、ＵＲＬやそのハッシュデータなど）を添付・追加することができる。
【００５６】
さて、投稿サイトユーザ、特にプレーヤを追跡対象ユーザとして追跡対象リストに登録している投稿サイトユーザは、先のフリー投稿や応答要請自動投稿を選択的に閲覧することができる。また、プレーヤは、他のプレーヤの応答要請自動投稿に応えて、返信や、言及、再投稿と言った応答投稿をすることもできる。
【００５７】
携帯型ゲーム装置１４００は、ゲーム中に投稿サイトに通信接続して投稿に関するデータを随時取得しているので、応答投稿に関する情報も得ることが可能である。例えば、応答投稿は、図７のゲーム画面Ｗ１０ａで示すように、投稿ビュワーウィンドウ１０にて当該応答投稿の投稿主のユーザアイコン１６とテキスト表示部１７とを表示単位として表示される。図の例では、２名からの２つの応答投稿が表示されている。
【００５８】
そして、本実施形態では、応答要請自動投稿を開始時刻として制限時間が経過するまでの間に投稿された応答投稿に基づいてゲーム進行制御が行われる。
具体的には、制限時間内に投稿された応答投稿の総数に基づいて、遭遇戦イベントの成功確率、つまりはプレーヤキャラクタ５が勝利する確率が設定される。本実施形態では応答投稿の総数が多いほど高確率が設定される。
【００５９】
また、応答投稿の投稿内容に含まれるキーワードに応じた特典付与が行われる。特典付与としては、例えば、ゲーム中で使用できるアイテムの付与、特別なイベントの発生、プレーヤキャラクタ５の能力パラメータの値の変更、プレイできるゲームステージの追加や変更などが適宜設定される。
【００６０】
そして、図８に示すように、制限時間内に投稿された応答投稿の総数に基づいて設定された確率に基づいて抽選処理が実行されて、遭遇戦イベントの結果が判定される。
抽選処理で当選すれば、プレーヤキャラクタ５の勝利（イベント成功）と判定されて、携帯型ゲーム装置１４００では、ゲーム画面Ｗ１２ａに示すように、プレーヤキャラクタ５が勝利するイベント結果が表示される。当然、同イベント結果をプレーヤに通知するためのゲームテキストが投稿ビュワーウィンドウ１０に表示される。図中のテキスト表示部１３（１３ａ）がこれに該当する。また、投稿ビュワーウィンドウ１０には、特典内容をプレーヤに通知するためのゲームテキストも表示される。図中のテキスト表示部１３（１３ｂ）がこれに該当する。
反対に、抽選にハズレるとプレーヤキャラクタの負け（イベント失敗）と判定されて、携帯型ゲーム装置１４００では、ゲーム画面Ｗ１３ａに示すように、プレーヤキャラクタ５が負けるイベント結果が表示され、同イベント結果をプレーヤに通知するためのゲームテキストが投稿ビュワーウィンドウ１０に表示される。図中のテキスト表示部１３（１３ｃ）がこれに該当する。
【００６１】
図９は、投稿ビュワーウィンドウ１０における表示レイアウトの例を示す概念図である。実際のゲーム画面上では投稿ビュワーウィンドウ１０の占有面積は限られるので、ゲームテキスト及び各種投稿の表示（アイコンとテキスト表示部の組）は、当該ウィンドウに対してボトムイン・トップアウトで表示される。本実施形態では、図中の破線で囲まれた範囲が実際に表示されていることになる。勿論、スクロールバーなどを設けて投稿ビュワーウィンドウ１０の表示履歴を辿ることができるようにしても良い。また、タブや画面モードの切り替えなどで、投稿のみを全画面表示する機能を設けても良い。
【００６２】
本実施形態では、ゲームテキストと、フリー投稿と、応答要請自動投稿と、応答投稿とが、全て一つの投稿ビュワーウィンドウ１０内に時系列に表示されるので、アイコン及びテキスト表示部の表示形態や、表示レイアウトに変化をつけることでそれぞれの種類が識別しやすいように工夫されている。
【００６３】
具体的には、ゲームテキスト及び自動投稿については、キャラクタアイコン１２を左側、テキスト表示部１３を右側に横並びにして表示される。テキスト表示部１３にキャラクタアイコン１２が添えられることで、それがゲームテキストであることが容易に分かるようになっている。尚、キャラクタアイコン１２は、その左端が投稿ビュワーウィンドウ１０の左端から所定距離だけ離した標準表示開始位置Ｐ１に合わせて表示される。
【００６４】
フリー投稿については、ユーザアイコン１４とテキスト表示部１５の並びはゲームテキストや自動投稿と同様であるが、ユーザアイコン１４がキャラクタアイコン１２よりも投稿ビュワーウィンドウ１０の若干右寄りのフリー投稿用表示開始位置Ｐ２に合わせて表示される。つまり、フリー投稿はゲームテキストよりも右にズレて表示されるので容易に識別ができるとともに、ゲームプレイにおける重要度が比較的低いことが一目で分るようになっている。また、テキスト表示部１５の形態が、ゲームテキスト及び自動投稿に適用されるテキスト表示部１３と異なるデザインであることも識別性を高めている。
【００６５】
応答投稿については、テキスト表示部１７を左側、ユーザアイコン１６を右側に横並びにして、ユーザアイコン１６の右端を投稿ビュワーウィンドウ１０内の最も右寄りの応答投稿用表示開始位置Ｐ３に合わせて表示される。つまり、応答投稿は、ゲームテキストや、応答要請自動投稿、フリー投稿など他の表示よりも右寄りに表示されるので、識別し易くなっている。また、テキスト表示部１７やユーザアイコン１６の表示サイズが、ゲームテキストや自動投稿、フリー投稿のアイコンやテキスト表示部よりも小さく（例えば、８０％程度）表示される。そして、テキスト表示部１７の形態が、ゲームテキスト及び自動投稿に適用されるテキスト表示部１３や、フリー投稿に適用されるテキスト表示部１５とも異なるデザインであるので、他との識別性を高めている。表示形態については、その他にも、テキストやテキスト表示部背景や枠線に色を付けたり、特典やパラメータの変化に関する単語を強調表現（太字・色替えなど）したり、テキストの種類によっては表示非表示の切り替えを設定可能にすることも可能である。
【００６６】
尚、図示はされないが、プレーヤが追跡対象として登録している追跡対象ユーザの投稿（追跡対象ユーザ投稿）については、別途固有の表示形態が設定されていて、投稿ビュワーウィンドウ１０に表示することができる。
【００６７】
図１０は、本実施形態における投稿ビュワーウィンドウ１０で時系列表示させるためのデータをどのように取得するかを示した概念図である。
本実施形態では、ゲーム進行制御はゲームサーバシステム１１３０により実行される。そのため、ゲームテキストを表示させるためのデータ（例えば、キャラクタアイコン１２、テキストデータ）は、プレーヤキャラクタ５の様子を描くゲーム画面を携帯型ゲーム装置１４００で生成・表示するためのゲーム画像データとともにゲームサーバシステム１１３０から提供される。
【００６８】
また、ゲームサーバシステム１１３０は、自動投稿条件を満たす特別なゲーム進行状況を検知して応答要請自動投稿を実行する。よって、自動投稿データ（例えば、投稿サイトユーザ名、テキストデータ）は、ゲームサーバシステム１１３０から投稿サイトサーバシステム１１００へ提供される。携帯型ゲーム装置１４００は、投稿閲覧のために投稿サイトサーバシステム１１００から投稿データ（例えば、投稿サイトユーザ名、ユーザアイコン、テキストデータ）を取得する。但し、本実施形態では、携帯型ゲーム装置１４００によって投稿ビュワーウィンドウ１０に表示する際に、応答要請自動投稿のアイコンがユーザアイコン１４からキャラクタアイコン１２へ差し換えられる。
尚、ゲームサーバシステム１１３０が、全投稿蓄積データ１１０２（図２参照）或いはそこからプレーヤに関する投稿データのみを抽出して、そのバックアップファイルを作成記憶する機能を備えることとすると好適である。この場合、投稿サイトサーバ１１００にアクセスできない状態でも、代わりに携帯型ゲーム装置１４００へ投稿関連のデータを提供することが可能となる。
【００６９】
フリー投稿は、本実施形態では携帯型ゲーム装置１４００が投稿サイトサーバシステム１１００にアクセスして投稿する。そして、その投稿データ（例えば、投稿サイトユーザ名、ユーザアイコン、テキストデータ）も携帯型ゲーム装置１４００自身で投稿サイトサーバシステム１１００から取得する。
【００７０】
応答投稿を投稿ビュワーウィンドウ１０に表示させるための投稿データは、携帯型ゲーム装置１４００が、投稿サイトサーバシステム１１００から取得する。
【００７１】
［機能ブロックの説明］
次に、本実施形態を実現するための機能構成について説明する。
図１１は、本実施形態における携帯型ゲーム装置１４００の機能構成の一例を示す機能ブロック図である。同図に示すように本実施形態の携帯型ゲーム装置１４００は、操作入力部１００と、処理部２００と、音出力部３５０と、画像表示部３６０と、通信部３７０と、記憶部５００とを備える。
【００７２】
操作入力部１００は、プレーヤによって為された各種の操作入力に応じて操作入力信号を処理部２００に出力する。例えば、ボタンスイッチや、ジョイスティック、タッチパッド、トラックボールといった直接プレーヤが指で操作する素子はもちろん、加速度センサや角速度センサ、傾斜センサ、地磁気センサなど、運動や姿勢を検知する素子などによっても実現できる。図３の方向入力キー１４０２、ボタンスイッチ１４０４、タッチパネル１４０７、タッチパネル１４０９がこれに該当する。
【００７３】
処理部２００は、例えばＣＰＵやＧＰＵ等のマイクロプロセッサや、ＡＳＩＣ、ＩＣメモリなどの電子部品によって実現され、操作入力部１００や記憶部５００を含む装置の各機能部との間でデータの入出力制御を行う。そして、所定のプログラムやデータ、操作入力部１００からの操作入力信号等に基づいて各種の演算処理を実行して、携帯型ゲーム装置１４００の動作を制御する。図３では制御ユニット１４５０がこれに該当する。
そして、処理部２００は、ゲーム端末制御部２０２と、音生成部２５０と、画像生成部２６０と、通信制御部２７０とを備える。
【００７４】
ゲーム端末制御部２０２は、本実施形態のオンライゲームをプレイするためのゲーム端末としての各種制御を実行する。
例えば、（１）ゲームサーバシステム１１３０にアクセスしてゲームに参加するための諸手続きに係る処理、
（２）プレーヤキャラクタを使用可能なキャラクタ一覧から選択する処理、
（３）操作入力信号をゲームサーバシステム１１３０へ提供するための処理、
（４）ゲームサーバシステム１１３０から提供されたゲーム画像データに基づいて、プレーヤキャラクタ５がゲーム空間内で行動する様子を描く画像を画像生成部２６０で生成させるための処理、つまりゲーム画像を表示制御するための処理、
（５）システムクロックを用いた制限時間などの計時処理、
（６）フラグ管理処理、
などを適宜実行することができる。その他、ゲーム進行に必要であればゲームサーバシステム１１３０から受信した情報のデコード、テクスチャの展開などを適宜実行することができる。尚、これらの処理は必須とは限らず、ゲームの内容やその実現形態によって適宜追加・省略することができる。
【００７５】
そして、本実施形態のゲーム端末制御部２０２は、投稿サイト認証制御部２０６と、フリー投稿制御部２０８と、投稿データ取得制御部２１２と、ゲームテキスト取得制御部２１４と、時系列表示制御部２１６とを含む。
【００７６】
投稿サイト認証制御部２０６は、投稿サイトのアカウント情報をプレーヤに入力させて取得し、取得したアクセス情報に基づいて投稿サイトにアクセスして認証を得て、次回以降の認証を容易にする利用署名データを生成するための制御をする。こうした制御は、投稿サイトが公表しているＡＰＩ（例えば「twitter」であれば「twitter API」）などを適宜利用することにより実現する。
【００７７】
フリー投稿制御部２０８は、フリー投稿に係る各種処理を実行する。
例えば、（１）フリー投稿の編集画面（例えば、図５のゲーム画面Ｗ６ｂ参照）を表示させる処理、（２）当該編集画面での編集操作を検知して新規の投稿を作成する処理、（３）投稿実行操作を検出して、プレーヤを投稿主として投稿内容を投稿する処理、が実行できる。つまり、ゲームを利用しない形態での投稿サイトへのアクセスから投稿実行に至る処理をゲーム内の一機能として自動実行する。こうした制御は、投稿サイトが公表しているＡＰＩ（例えば「twitter」であれば「twitter API」）などを適宜利用することにより実現できる。
【００７８】
投稿データ取得制御部２１２は、投稿サイトサーバシステム１１００から各種投稿データを取得するための制御をする。本実施形態では、フリー投稿、応答要請自動投稿、応答投稿などの各種の投稿データを取得するための制御を実行する。こうした制御は、投稿サイトが公表しているＡＰＩ（例えば「twitter」であれば「twitter API」）などを適宜利用することにより実現できる。
尚、投稿サイトサーバシステム１１００へ取得する投稿データに含まれる投稿の種類を指定できない場合には、投稿サイトサーバシステム１１００から全投稿蓄積データ１１０２（図２参照）を取得して適宜抽出するものとする。例えば、応答投稿の抽出は、投稿サイト内で適用される投稿ルールを利用して、「＠」に続いてプレーヤの投稿サイトユーザ名が含まれる投稿を抽出することにより実現できる。
【００７９】
ゲームテキスト取得制御部２１４は、ゲームテキストを表示するためのゲームテキストデータを取得する。本実施形態では、ゲームサーバシステム１１３０から適宜送信されたゲームテキストデータを受信するための処理を行う。
【００８０】
時系列表示制御部２１６は、ゲームテキストと、プレーヤがゲーム中に任意に行った投稿（フリー投稿）と、特定のゲーム進行状況が検知されたことを条件にプレーヤを投稿主として所定の例文を元に作成された内容の自動投稿（応答要請自動投稿）と、プレーヤを投稿主とする投稿に対する応答投稿と、プレーヤが投稿サイトにて追跡対象として登録した追跡対象ユーザを投稿主とする追跡対象ユーザ投稿と、を各事柄毎（この場合、投稿単位毎）に種類無関係にゲーム画面内の共通の表示エリア内で時系列に表示させるための制御をする。
【００８１】
そして、時系列表示制御部２１６は、表示形態制御部２１７を含み、ゲームテキスト、フリー投稿、応答要請自動投稿、応答投稿と言った表示対象の種類によって、表示形態（アイコンの種類、テキスト表示部のデザイン、テキストのフォント種類やフォント色など）や表示位置を選択して、投稿ビュワーウィンドウ１０内に時系列に表示させることができる（図９参照）。
【００８２】
また、時系列表示制御部２１６は、アイコン添付表示制御部２１８を含み、ゲームテキスト、フリー投稿、自動投稿、応答投稿、追跡対象ユーザ投稿に、各々に予め指定されたカテゴリのアイコンを添付して表示させることができる。本実施形態では、ゲームテキストについては、基本はプレーヤキャラクタのキャラクタアイコン１２とし、台詞の場合には台詞主のキャラクタのキャラクタアイコンを添付する。また、自動投稿については、プレーヤキャラクタのキャラクタアイコン１２を添付する。フリー投稿、応答投稿、追跡対象ユーザ投稿については、投稿主のユーザアイコン１４を添付して表示するように制御する。
【００８３】
音生成部２５０は、例えばデジタルシグナルプロセッサ（ＤＳＰ）や、音声合成ＩＣなどのプロセッサ、音声ファイル再生可能なオーディオコーデック等によって実現され、ゲーム端末制御部２０２による処理結果に基づいてゲームに係る効果音やＢＧＭ、各種操作音の音信号を生成し、音出力部３５０に出力する。
【００８４】
音出力部３５０は、音生成部２５０から入力される音信号に基づいて効果音やＢＧＭ等を音出力する装置によって実現される。図３ではスピーカ１４１０がこれに該当する。
【００８５】
画像生成部２６０は、例えば、ＧＰＵ（Graphics Processing Unit）、デジタルシグナルプロセッサ（ＤＳＰ）などのプロセッサ、ビデオ信号ＩＣ、ビデオコーデックなどのプログラム、フレームバッファ等の描画フレーム用ＩＣメモリ、テクスチャデータの展開用に使用されるＩＣメモリ等によって実現される。画像生成部２６０は、ゲーム端末制御部２０２による処理結果に基づいて１フレーム時間（例えば１／６０秒）で１枚のゲーム画面を生成し、生成したゲーム画面の画像信号を画像表示部３６０に出力する。
【００８６】
画像表示部３６０は、画像生成部２６０から入力される画像信号に基づいて各種ゲーム画像を表示する。例えば、フラットパネルディスプレイ、ブラウン管（ＣＲＴ）、プロジェクター、ヘッドマウントディスプレイといった画像表示装置によって実現できる。本実施形態では、図３の第１液晶ディスプレイ１４０６と第２液晶ディスプレイ１４０８とがこれに該当する。
【００８７】
通信制御部２７０は、データ通信に係るデータ処理を実行し、通信部３７０を介して外部装置とのデータのやりとりを実現する。
【００８８】
通信部３７０は、通信回線１と接続して通信を実現する。例えば、無線通信機、モデム、ＴＡ（ターミナルアダプタ）、有線用の通信ケーブルのジャックや制御回路等によって実現され、図３の無線通信モジュール１４１２がこれに該当する。
【００８９】
記憶部５００は、処理部２００に携帯型ゲーム装置１４００を統合的に制御させるための諸機能を実現するためのシステムプログラムや、ゲームを実行させるために必要なプログラム、各種データ等を記憶する。また、処理部２００の作業領域として用いられ、処理部２００が各種プログラムに従って実行した演算結果や操作入力部１００から入力される入力データ等を一時的に記憶する。こうした機能は、例えばＲＡＭやＲＯＭなどのＩＣメモリ、ハードディスク等の磁気ディスク、ＣＤ−ＲＯＭやＤＶＤなどの光学ディスクなどによって実現される。図３では制御ユニット１４５０が搭載するＩＣメモリやメモリカード１４４０がこれに該当する。
【００９０】
本実施形態の記憶部５００は、システムプログラム５０２と、ゲーム端末プログラム５０７とを記憶している。システムプログラム５０２は、携帯型ゲーム装置１４００のコンピュータとしての基本機能を実現するためのプログラムである。
ゲーム端末プログラム５０７は、処理部２００にゲーム端末制御部２０２としての機能を実現させせるためのプログラムであって、いわゆるオンラインゲームにおける「クライアントプログラム」に相当する。或いは、オンラインゲームをいわゆる「ブラウザゲーム」や「ウェブゲーム」として実現する場合には、ウェブブラウザプログラム及び同プログラム上で動的な表示環境を実現するためのプラグイン（スクリプトデータやブラウザゲームプログラムなどとも呼ばれる）に相当する。本実施形態では、ゲーム端末プログラム５０７は、ゲーム開始前にゲームサーバシステム１１３０から取得することとするが、メモリカード１４４０に予め記憶されていて、プレーヤはそれを別途入手するとしても良い。
【００９１】
また、記憶部５００には、時系列表示形態設定データ５１０と、時系列表示素材データライブラリ５３０と、アカウント情報５３２と、取得済ゲームテキストデータ５３４と、取得済投稿データ５３６と、時系列表示データ５３８と、が記憶される。その他、各種処理を実行するにあたり必要となるデータ（例えば、圧縮解凍されたテクスチャデータ、経過時間、各種タイマー値、カウンタ、フラグ）なども適宜記憶されるものとする。
【００９２】
時系列表示形態設定データ５１０は、ゲームテキストや投稿内容を共通する表示エリア内で表示するための表示形態や表示位置に関する情報を定義するデータである。
例えば、図１２に示すように、適用対象５１１と対応づけて、アイコン種類５１２と、テキスト表示形態５１３と、テキスト表示枠５１４と、表示サイズ５１５と、配置順５１６と、表示開始位置５１７と、間隔５１８とを格納する。
適用対象５１１には、ゲームテキスト、自動投稿、フリー投稿、応答投稿、追跡対象ユーザ投稿などの表示対象の種類が設定される。
アイコン種類５１２は、適用されるアイコン種類を定義する。
テキスト表示形態５１３は、テキスト表示部内で表示されるゲームテキストや投稿内容の表示形態を定義する。
テキスト表示枠５１４は、適用されるテキスト表示部１３（図中の枠種０１相当），テキスト表示部１５（図中の枠種０２相当），テキスト表示部１７（図中の枠種０３相当）等の種類を定義する。
表示サイズ５１５は、キャラクタアイコン１２やユーザアイコン１４，１６、及びテキスト表示部１３，１５，１７の表示する大きさを定義する。
配置順５１６は、キャラクタアイコン１２やユーザアイコン１４，１６、及びテキスト表示部１３，１５，１７の配置順を定義する。
表示開始位置５１７は、投稿ビュワーウィンドウ１０内における表示位置を定義する。
間隔５１８は、前後（投稿ビュワーウィンドウ１０では上下）する表示との表示間隔を定義する。
【００９３】
時系列表示素材データライブラリ５３０は、時系列表示形態設定データ５１０で定義される表示を実現するための素材情報、例えばキャラクタアイコンや、テキスト表示枠のデザインを定義するデータ、テキストフォントなどを含んでいる。テキストフォントは、システム側のフォントを適宜利用する場合には省略できる。
【００９４】
尚、本実施形態では、時系列表示形態設定データ５１０及び時系列表示素材データライブラリ５３０は、ゲーム開始前にゲームサーバシステム１１３０から取得することとするが、メモリカード１４４０に予め記憶されていて、プレーヤはそれを別途入手するとしても良い。
【００９５】
アカウント情報５３２は、プレーヤが予め取得していた投稿サイトユーザとしてのアカウント情報である。適宜、利用署名データを含めることができる。
【００９６】
取得済ゲームテキストデータ５３４及び取得済投稿データ５３６は、それぞれ取得済のゲームテキストや投稿データ、或いはそれらを識別するための識別情報などを格納する。
【００９７】
時系列表示データ５３８は、投稿ビュワーウィンドウ１０の表示の中身を格納しており、表示履歴として利用できる。
【００９８】
図１３は、本実施形態におけるゲームサーバシステム１１３０の機能構成例を示す機能ブロック図である。本実施形態におけるゲームサーバシステム１１３０は、ゲームサーバ処理部２００ｓと、通信部３７０と、サーバ記憶部５００ｓとを備える。
【００９９】
ゲームサーバ処理部２００ｓは、例えばＣＰＵやＧＰＵ等のマイクロプロセッサや、ＡＳＩＣ、ＩＣメモリなどの電子部品によって実現され、所定のプログラムやデータ、操作入力部１００ｓからの操作入力信号等に基づいて各種の演算処理を実行して、ゲームサーバシステム１１３０の動作を制御する。そして、ゲームサーバ処理部２００ｓは、ゲームサーバ制御部２０１と、ゲームサイト管理制御部２３６と、通信制御部２７０ｓとを備える。
【０１００】
ゲームサーバ制御部２０１は、マルチプレーヤ型のオンラインゲームのサーバとしての機能を実現する。具体的には、ゲームサーバ制御部２０１は、プレー参加制御部２０５と、投稿サイト認証制御部２０６と、ゲームデータ提供制御部２２０と、自動投稿状況検出部２２２と、自動投稿制御部２２４と、制限時間計時部２２６と、応答投稿データ取得制御部２２８と、投稿解析部２２９と、投稿対応進行制御部２３０とを含む。
【０１０１】
プレー参加制御部２０５は、ゲームに参加する為に必要な手続きを行う。具体的には、アクセスしてきたゲーム端末（本実施形態では携帯型ゲーム装置１４００）を通じて、プレーヤのゲーム参加の意思の確認処理や、プレーヤの投稿サイトユーザとしてのアカウント情報の取得に関する処理、プレーヤにプレーヤキャラクタ及びその装備等の選択をさせる処理などを実行する。
【０１０２】
ゲームデータ提供制御部２２０は、ゲーム進行制御の結果をゲーム画面としてゲーム端末にて表示させるためのゲーム画像データ（各プレーヤキャラクタの様子を描くゲーム画面を生成するためのデータ）を選択或いは生成する処理、ゲームテキストデータを選択する処理、ゲーム画像データやゲームテキストデータをゲーム端末へ提供する処理を実行する。
【０１０３】
自動投稿状況検出部２２２は、投稿サイトを利用したゲーム進行制御が許可される特定のゲーム進行状況の検出、すなわち自動投稿条件を満たす状況となったことを検出する。「特定のゲーム進行状況」としては、イベントの発生、プレーヤキャラクタの状況（ヒットポイントの値、装備品、レベルなど）などおよそゲーム進行の様々な状態を適宜設定することができる。本実施形態では、プレーヤキャラクタ５が敵ＮＰＣ９と遭遇戦をする遭遇戦イベントの発生が自動投稿条件を満たす状況の一つとされるが、ゲーム内容に応じて適宜自動投稿条件を設定することができる。
【０１０４】
自動投稿制御部２２４は、自動投稿条件を満たすゲーム進行状況となったことを検出した場合に、投稿サイトに自動でアクセスして、その時々のゲーム進行状況に応じて用意されている所定の文例を元にした自動投稿を行う。
本実施形態では、何れの文例にも、投稿サイトのユーザに対して応答投稿するように要請する内容のキーワード（例えば、「救援要請！」など）が含まれるように設定されている。勿論、実際に投稿する前にはプレーヤによる編集を受け付けるように制御する。ゲーム進行中の投稿は、投稿サイトが公表しているＡＰＩなどを適宜利用することにより実現できる。
【０１０５】
制限時間計時部２２６は、自動投稿制御部２２４による最新の自動投稿実行からの経過に応じて制限時間を計時する（タイマー）。制限時間は、常に所定時間としても良いし、その都度ランダムに設定する構成としても良いし、自動投稿条件の種類に応じて設定するとしても良い。
【０１０６】
応答投稿データ取得制御部２２８は、投稿サイトサーバシステム１１００から応答投稿データを取得するための制御をする。投稿サイトが公表しているＡＰＩ（例えば「twitter」であれば「twitter API」）などを適宜利用することにより実現できる。
尚、投稿サイトサーバシステム１１００に対して、取得する投稿データに含まれる投稿の種類を指定できない場合には、投稿サイトサーバシステム１１００から全投稿蓄積データ１１０２（図２参照）を取得し、取得したデータの中から適宜抽出するものとする。例えば、投稿サイト内で適用される投稿ルールを利用して、「＠」に続いてプレーヤの投稿サイトユーザ名が含まれる投稿を抽出することにより実現できる。
【０１０７】
投稿解析部２２９は、ゲーム進行制御に利用する投稿の内容を解析する。本実施形態では、投稿内容には少なくともテキストデータが含まれているので、投稿内容に所定のキーワードが含まれているかを検索することができる。もし、投稿内容として画像データを含めることができる構成では、所定のキーピクチャーなどとの画像照合や、何が写った画像であるかを判定する画像認識などを行うこととする。また、携帯型ゲーム装置１４００がＧＰＳなどの測位システムを利用できる装置を搭載している場合には、投稿内容に投稿した時の位置情報を添付・追加し、当該位置情報を投稿内容の一部とすることができる。
【０１０８】
投稿対応進行制御部２３０は、投稿サイトから取得できる投稿データに基づくゲーム進行制御を実行する。本実施形態では、応答投稿対応進行制御部２３０ａと、追跡対象ユーザ投稿対応進行制御部２３０ｂとを含む。
【０１０９】
応答投稿対応進行制御部２３０ａは、投稿サイトサーバシステム１１００から取得した応答投稿の投稿データに基づくゲーム進行制御を行う。本実施形態では、応答投稿の数に応じた確率でイベントの成否を判定することができる。また、応答投稿の内容の解析結果に基づくゲーム進行制御を行うことができる。より具体的には、応答投稿に含まれているキーワードに応じた特典を与える（図７参照）。
【０１１０】
追跡対象ユーザ投稿対応進行制御部２３０ｂは、投稿サイトサーバシステム１１００から取得した追跡対象ユーザ投稿の投稿データに基づくゲーム進行制御を実行する。本実施形態では、追跡対象ユーザ投稿の内容に含まれているキーワードに応じた特典を与える処理をする（図７参照）。
【０１１１】
その他、ゲームサーバ制御部２０１は、フラグ管理処理などをゲーム進行に必要な処理を適宜実行することができる。
【０１１２】
ゲームサイト管理制御部２３６は、本実施形態のオンラインＲＰＧに参加するための窓口となるウェブサイトの管理に係る制御を実行する。ゲームサイト管理制御部２３６は、ゲーム参加を希望してアクセスしてきた端末装置（本実施形態では、携帯型ゲーム装置１４００）へ、ゲーム参加に必要なゲーム端末プログラム（クライアントプログラムに相当）やデータを提供する制御行うことができる。
【０１１３】
サーバ記憶部５００ｓは、ゲームサーバ処理部２００ｓに諸機能を実現するためのプログラムやゲームを記憶する。また、ゲームサーバ処理部２００ｓの作業領域として用いられ、各種プログラムに従って実行した演算結果、ゲーム端末から受信した情報等を一時的に記憶することができる。こうした機能は、例えばＲＡＭやＲＯＭなどのＩＣメモリ、ハードディスク等の磁気ディスク、ＣＤ−ＲＯＭやＤＶＤなどの光学ディスクなどによって実現される。
【０１１４】
そして、本実施形態のサーバ記憶部５００ｓは、サーバシステムプログラム５０３と、ゲームサーバプログラム５０５と、ゲーム端末プログラム５０７と、時系列表示形態設定データ５１０と、時系列表示素材データライブラリ５３０と、ゲーム空間設定データ５５０と、登場キャラクタ設定データ５５１と、キャラクタアイコンライブラリ５５２と、登場アイテム設定データ５５３と、自動投稿設定データ５５４と、カットイン表示用データライブラリ５７０と、特典設定データ５８０と、ゲーム画像データライブラリ５８４と、ゲームテキストライブラリ５８６とを予め記憶している。
また、ゲームの実行に伴い適宜生成・更新されるデータとして、ゲーム空間データ５９０と、複数のプレイデータ６００と、その他ゲーム進行制御に必要な、制限時間のカウント値、各種フラグなど適宜記憶することができる。
【０１１５】
サーバシステムプログラム５０３は、コンピュータにサーバとしての基本的な機能を実現させるためのプログラムである。
ゲームサーバブログラム５０５は、ゲームサーバ処理部２００ｓにゲームサーバ制御部２０１としての機能を実現させるためのプログラムである。
ゲーム端末プログラム５０７は、ゲーム参加を希望するゲーム端末に提供するクライアントプログラムの原本である。携帯型ゲーム装置１４００の記憶部５００のゲーム端末プログラム５０７（図１１参照）は、これをダウンロードしたものである。ゲーム端末プログラム５０７は、専用のプログラムや、ウェブブラウズプログラム上で動的な表示を実現するためのプラグインなどにより実現される。
【０１１６】
ゲーム空間設定データ５５０は、ゲームの舞台となる仮想の世界であるゲーム空間を定義する初期設定データである。ゲーム画面を３ＤＣＧをベースに作る場合には、仮想３次元空間に配置する地面や天球、背景物などの背景オブジェクトとその配置位置情報、それらに適用されるテクスチャなどが設定される。２ＤＣＧをベースに作る場合には、所謂マップ情報が格納されている。
【０１１７】
登場キャラクタ設定データ５５１は、ゲームに登場する各種キャラクタを動作・表示させるための各種情報（例えば、モデルデータ、テクスチャデータ、モーションデータ、パラメータの初期値など）をキャラクタ毎に格納している。本実施形態では、プレーヤが使用するキャラクタを選択可能な構成であり、選択対象となる複数のキャラクタの情報が含まれている。勿論、敵キャラクタなどＮＰＣに関する設定データも含まれる。
【０１１８】
キャラクタアイコンライブラリ５５２は、登場キャラクタそれぞれの固有のキャラクタアイコン１２を格納する。
【０１１９】
登場アイテム設定データ５５３は、ゲームに登場する各種アイテムを定義する情報を格納する。例えば、プレーヤキャラクタ５が使用する武器、ＨＰの回復アイテムなどの設定データが含まれている。
【０１２０】
自動投稿設定データ５５４は、自動投稿条件を満たすと判断する際のゲーム進行状況と、その時に実行される自動投稿とを対応付けて定義するデータである。例えば、図１４に示すように、自動投稿条件５５５に対応づけて自動投稿例文５５６を格納する。
自動投稿条件５５５は、適宜設定可能である。例えば、ゲーム中に発生することのできるイベントの種類、プレーヤキャラクタのＨＰ（ヒットポイント、残存する耐力値や生命力に相当する値）の条件などを設定することができる。その他、キャラクタスキルや、成長度合を示すいわゆるキャラクタレベル、携帯型ゲーム装置１４００の位置情報などをパラメータとして設定することができる。
自動投稿例文５５６は、複数種類用意されていて、自動投稿を行う際に抽選処理により何れかが選択される。本実施形態の投稿サイトは文字情報のみを投稿可能としているので自動投稿例文５５６をテキストデータとするのが適当であるが、投稿サイトの仕様によっては画像などを含むとしても良い。
【０１２１】
カットイン表示用データライブラリ５７０は、キャラクタの種類毎に、シチュエーション別のカットイン表示用データを格納する。「カットイン表示」とは、キャラクタの静止画や動画を、ゲーム画面に瞬間的に表示／消去することで、その直後のゲーム展開をよりプレーヤに印象づけるための演出手法である。カットイン表示用データは、そうした静止画データや、動画データなどにより実現できる。
【０１２２】
特典設定データ５８０は、特典を付与するための条件と、特典の内容を定義するデータである。例えば図１５に示すように、適用条件５８１と、特典内容５８２と、特典付与通知ゲームテキスト５８３とを対応づけて格納する。
【０１２３】
適用条件５８１には、本実施形態では、応答投稿の数をパラメータとする条件や、応答投稿内のキーワードをパラメータとする条件が設定される。キーワードをパラメータとする条件は、換言すると「特典付与するためのキーワード」の辞書データに相当する（図７参照）。
【０１２４】
特典内容５８２には、特典として適用される制御内容が定義されている。本実施形態ではゲーム進行に影響を与える各種パラメータ（例えば、ＨＰ、攻撃力、防御力、移動力など）の増減やアイテムの付与、プレイ可能なゲーム空間のエリアの拡張や縮小（例えば、特別ステージへの鍵の付与、橋の発生などのイベント）、新しいＮＰＣの登場、既存の課金サービスへのクーポン発行などを設定することができる。
【０１２５】
特典付与通知ゲームテキスト５８３は、どのような特典が付与されたかをプレーヤに知らせるための特別なゲームテキストの内容を格納する。勿論、ゲームテキストに代えて動画などとしても良い。
【０１２６】
尚、本実施形態では、特典を付与する対象を主にプレーヤとし、特典の内容はプレーヤのゲーム進行状況に影響を与える内容としているが、応答投稿した投稿主が同じゲームをプレイ中の場合、或いはプレイ中ではないが登録プレーヤの場合には、その投稿主を対象にする適用条件５８１や特典内容５８２を設定することができる。また、適用条件５８１及び特典内容５８２の設定内容はゲームジャンルやゲーム内容に応じて適宜設定できるのは言うまでもない。
【０１２７】
ゲーム画像データライブラリ５８４は、ゲーム端末でゲーム画面を表示させるための元になる情報を、様々なシチュエーションに応じて格納する。
【０１２８】
ゲームテキストライブラリ５８６は、ゲームテキストを様々なシチュエーションに応じて格納している。ゲームテキストの内容が台詞の場合（台詞は台詞主のキャラクタ名につづいて台詞内容を「」で囲む約束）、その台詞を話すキャラクタの識別情報が対応づけて格納されるものとする。また、当該台詞に伴って表示するべきカットイン表示データの識別情報も対応づけられる。
【０１２９】
ゲーム空間データ５９０は、ゲームの舞台となる仮想世界の状態を記述したデータである。
【０１３０】
現在ゲームに参加しているプレーヤのゲーム進行状況を表すデータは、プレイデータ６００としてプレーヤ別に記憶・管理される。例えば、図１６に示すように、プレーヤ名６０１と、ステータスデータ６０２と、アカウント情報６１０と、取得済投稿データ６１２とを含む。更に取得済投稿データ６１２は、基礎投稿データ６１４と、応答投稿データ６１６と、追跡対象ユーザ投稿データ６１８とを含む。
【０１３１】
プレーヤ名６０１は、本実施形態ではプレーヤの投稿サイトユーザ名が設定されるが、別途設定するとしても良い。
【０１３２】
ステータスデータ６０２は、プレーヤキャラクタ種類（プレーヤキャラクタとするキャラクタの識別情報）、現在位置、実行中の動作の種類、能力（例えば、ＨＰ、攻撃力、防御力など）を示すパラメータ値、武器や防具などの装備品や所持品を示す装備リスト、プレイ可能なマップを識別するためのプレイ可能マップＩＤを含む。勿論、その他適宜含むことができる。
【０１３３】
アカウント情報６１０は、ゲーム端末から取得したプレーヤの投稿サイトユーザとしてのアカウント情報である。適宜、投稿サイトサーバシステム１１００にアクセスして取得した利用署名データを含むとしても良い。
【０１３４】
取得済投稿データ６１２は、投稿サイトサーバシステム１１００にプレーヤのアカウント情報６１０を用いて閲覧用に取得した投稿データ、或いはそれらに紐付けされた識別情報などを格納する。本実施形態では、全投稿蓄積データ１１０２の一部を取得して基礎投稿データ６１４として記憶し、そこから応答投稿の投稿データを抽出して応答投稿データ６１６として記憶する。また、プレーヤが追跡対象として登録している追跡対象ユーザのうち、限定数の追跡対象ユーザの投稿データを抽出して追跡対象ユーザ投稿データ６１８として記憶する。尚、投稿サイトサーバシステム１１００へ、投稿データの抽出条件を指定できる場合には、応答投稿データや追跡対象ユーザ投稿を直接的に取得できることになるので、基礎投稿データ６１４を省略することができる。
【０１３５】
［処理の流れの説明］
次に、図１７〜図２１を参照しながら、本実施形態における各種処理の流れについて説明する。尚、図中では、ゲーム端末に相当する携帯型ゲーム装置１４００における処理の流れを「ゲーム端末処理」、ゲームサーバシステム１１３０における処理の流れを「ゲームサーバ処理」と表記する。また、携帯型ゲーム装置１４００は、予めゲームサーバシステム１１３０にて管理されるゲームサイトにアクセスし、ゲーム参加の手続きを経てゲーム端末プログラム５０７と、時系列表示形態設定データ５１０と、時系列表示素材データライブラリ５３０とをダウンロードし、ゲーム端末プログラム５０７を実行しているものとする。
【０１３６】
図１７に示すように、携帯型ゲーム装置１４００の処理部２００は、先ずプレーヤの投稿サイトユーザとしてのアカウント情報の入力処理を実行する（ステップＳ２）。第１液晶ディスプレイ１４０６及び第２液晶ディスプレイ１４０８には、アカウント情報の入力画面Ｗ４ａ，Ｗ４ｂ（図４参照）が表示される。そして、アカウント情報が入力されたならば、これを自身の記憶部５００に記憶し（ステップＳ４）、更にゲームサーバへ送信・提供する（ステップＳ６）。
【０１３７】
ゲームサーバシステム１１３０のゲームサーバ処理部２００ｓは、携帯型ゲーム装置１４００からアカウント情報を受信したならば（ステップＳ８）、これを自身のサーバ記憶部５００ｓに記憶する（ステップＳ１０）。以降、ステップＳ２で入力された投稿サイトユーザ名は、プレーヤ名６０１として設定される（ステップＳ１２）。
【０１３８】
次に、携帯型ゲーム装置１４００の処理部２００及びゲームサーバシステム１１３０のゲームサーバ処理部２００ｓは、プレーヤキャラクタの設定処理を実行する（ステップＳ１４，Ｓ１６）。公知のオンラインＲＰＧなどと同様にして、選択可能なキャラクタ一覧を携帯型ゲーム装置１４００で画面表示させ、プレーヤに何れか希望するモデルを選択させ、これをプレーヤキャラクタとして登録する。尚、プレーヤキャラクタの選択にあたってはキャラクタを自動生成する構成とすることもできる。例えば、投稿サイトサーバシステム１１００からプレーヤ（すなわち投稿サイトユーザ）にひも付けされる公開情報（例えば、国、性別、年齢など）を取得可能な場合、これらに基づいてキャラクタを自動生成するとしても良い。
【０１３９】
携帯型ゲーム装置１４００の処理部２００は、ゲーム開始操作を検出すると（ステップＳ２０のＹＥＳ）、ゲーム開始リクエストをゲームサーバシステム１１３０へ送信し（ステップＳ２２）、操作入力信号を随時ゲームサーバシステム１１３０へ送信する制御を開始する（ステップＳ２４）。
【０１４０】
ゲームサーバシステム１１３０のゲームサーバ処理部２００ｓは、ゲーム開始リクエストを受信して（ステップＳ２６）、ゲーム進行制御を開始する（ステップＳ２８）。
すなわち、これ以降、ゲーム開始リクエストを発した携帯型ゲーム装置１４００のプレーヤのプレーヤキャラクタをゲーム空間内に配置し、受信した操作入力信号に基づいてプレーヤキャラクタの行動を制御し、行動結果をシミュレーションする処理を開始する。また、当該プレーヤ以外でゲームプレイ中のプレーヤキャラクタについても同様の処理が行われ、またＮＰＣについては自動制御されるものとする。これらの制御は、公知のマルチプレーヤ型オンラインＲＰＧなどと同様にして実現できる。
【０１４１】
そして、ゲームサーバシステム１１３０のゲームサーバ処理部２００ｓは、ゲーム進行制御の結果を携帯型ゲーム装置１４００にてプレーヤへ通知するために、ゲーム画像データを生成或いは選択してこれを携帯型ゲーム装置１４００へ送信する（ステップＳ３０）。
【０１４２】
次いで、ゲームサーバシステム１１３０のゲームサーバ処理部２００ｓは、ゲームテキストをゲームテキストライブラリ５８６から選択し（ステップＳ３２；図１３参照）、テキストの先頭にプレーヤ名６０１を挿入して、これから送信するゲームテキストの内容を一部変更する（ステップＳ３４）。
【０１４３】
本実施形態では、状況説明をするゲームテキストは主語を省略した形式（例えば「は、…」「が、…」の形式）で設定されているので、当該ステップでプレーヤ名６０１が挿入されることにより、例えば「kobuta（プレーヤ名）は、…」といった具合の表示が可能となる。プレーヤ名が先頭に付くことで、ゲームサーバシステム１１３０から直接取得されるゲームテキストの投稿ビュワーウィンドウ１０における投稿内容の表示スタイルが、投稿サイトを経由して得られた投稿の表示スタイル（例えば、［投稿主の投稿サイトユーザ名］［投稿内容］の順）に似せて統一感を出すことができる。このことは、当該ウィンドウの見やすさを高めることとなる。同様のことは、例えば「@@username」など特定の文字列をプレーヤ名で置き換える手法で実現することができる。
【０１４４】
次いで、ゲームサーバ処理部２００ｓは、当該ゲームテキストがどのキャラクタについて述べられているかが分かるようにキャラクタアイコン１２を選択する。
具体的には、ステップＳ３２で選択した元のゲームテキストの内容が、キャラクタの台詞でなければ（ステップＳ３６のＮＯ）、ゲームサーバシステム１１３０のゲームサーバ処理部２００ｓは、プレーヤキャラクタのキャラクタアイコン１２をキャラクタアイコンライブラリ５５２から選択する（ステップＳ３８）。もし、台詞であれば（ステップＳ３６のＹＥＳ）、ゲームサーバ処理部２００ｓは台詞主のキャラクタのキャラクタアイコンを選択し（ステップＳ４０）、更に、カットイン表示用データライブラリ５７０から台詞主用のカットイン表示用データを選択する（ステップＳ４２）。尚、ゲームテキストが台詞で有るか否かの判定は、ゲームテキストライブラリ５７０にて、その識別フラグを対応づけておいてこれを参照するとしても良いし、ゲームテキストの内容から判定しても良い。例えば、ゲームに登場するキャラクタ名に続いて「」で括られた文字列を含んでいる場合には、台詞と見なすと言った具合である。
【０１４５】
そして、ゲームサーバ処理部２００ｓは、選択したキャラクタアイコンとゲームテキスト、更に場合によってはカットイン表示用データとを加えてゲームテキストデータとして携帯型ゲーム装置１４００へ送信・提供する（ステップＳ４４）。
【０１４６】
一方、携帯型ゲーム装置１４００の処理部２００は、ゲーム画像データを受信したならば（ステップＳ５０のＹＥＳ）、受信したゲーム画像データに基づいてプレーヤキャラクタ５の様子を画面表示させる（ステップＳ５２）。ゲーム画像データの内容によっては、３ＤＣＧのレンダリングに関する処理を行うとしてもよい。
【０１４７】
また、図１８に示すように、ゲームテキストデータを受信し（ステップＳ６０のＹＥＳ）、そこに含まれるゲームテキストがキャラクタの台詞であれば（ステップＳ６２のＹＥＳ）、処理部２００はカットイン表示を実行する（ステップＳ６４）。そして、時系列表示形態設定データ５１０（図１２参照）に従って、受信したゲームテキストデータに含まれるキャラクタアイコン１２と、ゲームテキストとを指定された表示形態で、投稿ビュワーウィンドウ１０にて表示させる（ステップＳ６６）。尚、カットイン表示はゲームテキストが台詞であった場合でも適宜省略や間引きをしても良い。
【０１４８】
次に、携帯型ゲーム装置１４００の処理部２００は、フリー投稿の編集操作を検知すると（ステップＳ７０のＹＥＳ）、フリー投稿の投稿内容の編集処理を実行する（ステップＳ７２；図５参照）。そして、投稿実行操作を検知したならば（ステップＳ７４のＹＥＳ）、編集した投稿内容を、プレーヤを投稿主として投稿サイトに投稿処理する（ステップＳ７６）。これで「フリー投稿」が行われたことになる。投稿を実行したならば、処理部２００は、投稿サイトから、このフリー投稿の投稿データを取得して（ステップＳ８８）、指定された表示形態で投稿ビュワーウィンドウ１０で表示する（ステップＳ９０）。
尚、図示していないが、この後、編集内容をクリアし、編集画面（例えば、図５のゲーム画面Ｗ６ｂ）の入力欄２０なども未入力の状態とする。
【０１４９】
一方、ゲームサーバシステム１１３０のゲームサーバ処理部２００ｓは、現在のゲーム進行状況が、自動投稿設定データ５５４の自動投稿条件５５５に該当するかを判定する（図１４参照）。そして、該当すると判定した場合には（ステップＳ１００のＹＥＳ）、該当した自動投稿条件５５５に対応する自動投稿例文５５６から何れかの文例を選択し（ステップＳ１０２）、これを携帯型ゲーム装置１４００へ送信する（ステップＳ１０４）。
【０１５０】
携帯型ゲーム装置１４００の処理部２００は、自動投稿の文例を受信すると、自動投稿の編集画面つまり自動投稿用のゲーム画面を表示する（ステップＳ１１２）。その際、編集欄２３には受信した自動投稿の文例を初期状態として表示すると良い（図６のゲーム画面Ｗ８ｂ参照）。
そして、その自動投稿例文をベースにして編集操作に応じた投稿内容の編集処理を行い（ステップＳ１１４）、投稿実行操作に応じて投稿内容をゲームサーバシステム１１３０へ送信する（ステップＳ１１６）。また、編集内容をクリアするとともにゲーム画面の表示は、自動投稿用のゲーム画面に戻す（ステップＳ１１８）。
【０１５１】
一方、ゲームサーバシステム１１３０のゲームサーバ処理部２００ｓは、自動投稿の内容を受信すると（ステップＳ１２０）、受信した投稿内容をプレーヤを投稿主として投稿サイトに自動投稿する（ステップＳ１２２）。つまり「応答要請自動投稿」が実行されたことになる。
【０１５２】
尚、ステップＳ１０４〜Ｓ１２２は、自動投稿の内容をプレーヤに確認を取るために用意されているので、プレーヤによる確認を不要とするならば、これらのステップを適宜省略し、ステップＳ１２２を、ステップＳ１０２で選択した自動投稿例文をそのまま自動投稿するステップに置き換えることができる。
【０１５３】
図１９のフローチャートに移って、ゲームサーバ処理部２００ｓは自動投稿を実行したならば、自動投稿実行通知を携帯型ゲーム装置１４００へ送信する（ステップＳ１２４）。
携帯型ゲーム装置１４００の処理部２００は、この通知を受信すると（ステップＳ１２６のＹＥＳ）、投稿サイトにアクセスして最新の自動投稿の投稿データを取得する（ステップＳ１２８）。
投稿サイトの利用規約上、取得する投稿の種類を指定できない場合には、所定時間前から現在までの投稿データを取得し自動投稿を抽出すると良い。具体的には、本実施形態の応答要請自動投稿の投稿内容には「救援」「援護」「助け」「応援」「Help」と言った助けや応援投稿を要請する文言が入れられる約束なので、プレーヤを投稿主とする投稿の中からこれらの文言が含まれているものを抽出すれば良い。応答投稿は、「＠」に続いてプレーヤの投稿サイトユーザ名が含まれているものを抽出すると良い。
【０１５４】
そして、その自動投稿の投稿データに含まれるユーザアイコン１４をプレーヤキャラクタ５のキャラクタアイコン１２に差し換えて（ステップＳ１３０）、時系列表示形態設定データ５１０（図１２参照）に従って、自動投稿を指定された表示形態で、投稿ビュワーウィンドウ１０にて表示させる（ステップＳ１３２）。
【０１５５】
一方、ゲームサーバシステム１１３０のゲームサーバ処理部２００ｓは、自動投稿を実行したならば、制限時間の計時を開始し（ステップＳ１３４）、制限時間に達するまで、直前の自動投稿以降に投稿サイトに新規投稿された応答投稿の投稿データを投稿サイトサーバシステム１１００から取得する（ステップＳ１３６；図１６参照）。
尚、応答投稿の投稿データは、全投稿蓄積データ１１０２を取得して取得済投稿データ６１２の基礎投稿データ６１４に逐次格納し、応答投稿の書式ルールを利用して、応答投稿の投稿データを抽出して、応答投稿データ６１６に格納することにより実現される。本実施形態では、投稿内容に「＠」と、それに続くプレーヤの投稿サイトユーザ名とが含まれている投稿を応答投稿と見なす。もし、投稿サイトに、取得した投稿の種類を指定できる場合には、直接応答投稿と見なす種類の投稿の投稿データを取得すると良い。
【０１５６】
そして、制限時間に達したならば（ステップＳ１３８のＹＥＳ）、携帯型ゲーム装置１４００へ制限時間の終了通知を送信する（ステップＳ１４０）。
【０１５７】
携帯型ゲーム装置１４００の処理部２００は、この制限時間終了通知を受信すると（ステップＳ１４２のＹＥＳ）、投稿サイトから応答投稿の投稿データを取得し（ステップＳ１４４）、応答投稿を指定の表示形態で投稿ビュワーウィンドウ１０にて表示させる（ステップＳ１４６）。
【０１５８】
ゲームサーバ処理では、制限時間終了通知を送信した後、ゲームサーバシステム１１３０のサーバ処理部２００ｓは、ステップＳ１３６〜Ｓ１３８で取得した応答投稿の投稿内容を解析する（ステップＳ１５１）。具体的には、特典設定データ５８０（図１５参照）の適用条件５８１にて使われているキーワードを検索する。そして、投稿内容に含まれていたキーワードの適用条件５８１に応じた特典内容５８２の特典を付与する処理を実行してゲーム進行状況に変更を加え（ステップＳ１５２）、特典付与通知ゲームテキスト５８３を携帯型ゲーム装置１４００へ送信する（ステップＳ１５３）。勿論、携帯型ゲーム装置１４００は、このゲームテキストデータを受信すると（ステップＳ１５６のＹＥＳ）、指定の表示形態でこれを投稿ビュワーウィンドウ１０内に表示させる（ステップＳ１５９）。
【０１５９】
次いで、ゲームサーバ処理部２００ｓは、自動投稿条件５５５に該当するイベントが発生中であるかを判定し、もし肯定であれば（ステップＳ１６４のＹＥＳ）、更にイベント結果の判定を実行する（ステップＳ１６６）。本実施形態では、応答投稿数に応じて高くなる当選確率を設定し、この当選確率をもって抽選処理をする。そして、当選すればイベント成功と判定し、ハズレの場合はイベント失敗と判定する。遭遇戦イベントであれば、イベント成功はプレーヤキャラクタ５の勝利、イベント失敗はプレーヤキャラクタ５の敗北となる（図８参照）。
【０１６０】
そして、ゲームサーバ処理部２００ｓは、判定したイベント結果をゲーム進行状況に反映させ（ステップＳ１６８）、イベント結果をプレーヤに通知するためのゲーム画像データを選択する（ステップＳ１７０）。更に、ゲーム結果を通知するためのゲームテキストを選択するとともに、ステップＳ３６〜Ｓ４２と同様にして、それを含むゲームテキストデータを生成する（ステップＳ１７２）。そして、選択したゲーム画像データとゲームテキストデータとを携帯型ゲーム装置１４００へ送信する（ステップＳ１７４）。
【０１６１】
図２０のフローチャートに移って、携帯型ゲーム装置１４００では、イベント結果通知用のゲーム画像データとゲームテキストデータを受信すると（ステップＳ１８０のＹＥＳ）、受信したゲーム画像データに基づいてイベント結果を画面表示し（ステップＳ１８２）、受信したゲームテキストデータのゲームテキストを指定の表示形態で投稿ビュワーウィンドウ１０の中に表示させる（ステップＳ１８４）。
【０１６２】
次に、携帯型ゲーム装置１４００の処理部２００は、所定の最新投稿データの周期が到来した場合（ステップＳ２００のＹＥＳ）、投稿サイトサーバシステム１１００にアクセスして、前回の取得周期以降から今までになされたフリー投稿と、応答投稿と、追跡対象ユーザ投稿の各投稿データを投稿サイトから取得する（ステップＳ２０２）。
【０１６３】
投稿サイトから、投稿種類を指定して投稿データを取得できる場合には、フリー投稿、応答投稿、追跡対象ユーザ投稿をそれぞれ指定すれば良い。
もし、指定ができない場合には、全投稿蓄積データ１１０２から前回の取得周期以降から今までになされた投稿データを取得し、フリー投稿、応答投稿、追跡対象ユーザ投稿を選別する。選別方法は、例えば「フリー投稿」は、プレーヤ名が投稿サイトユーザ名であって、投稿内容がゲームテキストを示す所定の書式（例えば、応援要請自動投稿の書式（所定キーワードを含む；図１４参照）のものを除外することで実現する。或いは、ゲームソフトを介して行われた投稿のデータを、ゲームサーバシステム１１３０で逐次記憶しておいて、これと比較することでフリー投稿を判別するとしても良い。
「応答投稿」は、投稿内容に「＠」とそれに続いて「プレーヤ名」が含まれているものを抽出することで実現できる。「追跡対象ユーザ投稿」は、プレーヤが追跡対象として登録している投稿サイトユーザの投稿であるから、投稿サイトからプレーヤの追跡対象リスト１１１６を取得し、当該リストに登録されているユーザが投稿主のものを抽出することで実現できる。選別されたこれらの投稿データは、取得済投稿データ５３６内に格納される（図１１参照）。
【０１６４】
そして、新しいフリー投稿があれば（ステップＳ２０４のＹＥＳ）、処理部２００は、時系列表示形態設定データ５１０（図１２参照）に従って、新しいフリー投稿の投稿データに含まれるユーザアイコン１４とゲームテキストとを指定された表示形態で、投稿ビュワーウィンドウ１０にて表示させる（ステップＳ２０６）。
また、新しい応答投稿があれば（ステップＳ２０８のＹＥＳ）、処理部２００は、同様に時系列表示形態設定データ５１０に従って、新しい応答投稿の投稿データに含まれるユーザアイコン１４とゲームテキストとを指定された表示形態で、投稿ビュワーウィンドウ１０にて表示させる（ステップＳ２０８）。
また、新しい追跡対象ユーザ投稿があれば（ステップＳ２１２のＹＥＳ）、処理部２００は、同様に時系列表示形態設定データ５１０に従って、新しい追跡対象ユーザ投稿の投稿データに含まれるユーザアイコンとゲームテキストとを指定された表示形態で、投稿ビュワーウィンドウ１０にて表示させる（ステップＳ２１４）。
【０１６５】
図２１のフローチャートに移って、本実施形態におけるサーバシステム１１３０のゲームサーバ処理部２００ｓは、プレーヤが投稿サイトにて追跡対象として登録している追跡対象ユーザの投稿内容に応じたゲーム進行制御に係る処理を実行することができる。
【０１６６】
具体的には、ゲームサーバ処理部２００ｓは、随時、投稿サイトからプレーヤの投稿対象リスト１１１６（図１参照）を取得する（ステップＳ２４０）。こうした機能は、適宜投稿サイトが提供するＡＰＩを用いることで実現できる。
そして、取得した追跡対象リスト１１１６の中から所定数の追跡対象ユーザを選択し（ステップＳ２４２）、選択した追跡対象ユーザの投稿データを取得する（ステップＳ２４４）。
【０１６７】
もし、選択した追跡対象ユーザの新しい投稿があれば（ステップＳ２４６のＹＥＳ）、ゲームサーバ処理部２００ｓは、該当する投稿の投稿内容を解析して特典設定データ５８０の適用条件５８１に含まれるキーワードを検索し、含まれていたキーワードに対応する特典内容５８２を付与する処理を実行する（ステップＳ２４８）。そして、特典付与通知ゲームテキスト５８３を携帯型ゲーム装置１４００へ送信する（ステップＳ２５０）。勿論、携帯型ゲーム装置１４００は、このテキストデータを受信すると（ステップＳ２５２のＹＥＳ）、指定の表示形態でこれを投稿ビュワーウィンドウ１０内に表示させる（ステップＳ２５４）。
【０１６８】
次に、ゲームサーバ処理部２００ｓは、プレーヤのゲーム進行状況が所定のゲーム終了条件を満たすか否か判定する。本実施形態では、例えばプレーヤキャラクタ５のＨＰが「０」になった場合や、所定のアイテムや、所定のキャラクタを倒すとゲーム終了条件を満たすと判定する。
【０１６９】
もし、ゲーム終了条件を満たしていなければ（ステップＳ２６０のＮＯ）、ゲームサーバ処理、すなわちゲーム進行制御を続ける。
もし、ゲーム終了条件を満たすならば（ステップＳ２６０のＹＥＳ）、ゲームサーバ処理部２００ｓはエンディングのゲーム画像データとゲームテキストデータとを携帯型ゲーム装置１４００に送信して、当該プレーヤの今回のゲームプレイにかかるゲームサーバ処理を終了する。携帯型ゲーム装置１４００は、これを受信すると（ステップＳ２７０のＹＥＳ）、受信したゲーム画像データに基づいてエンディングの画像を表示しつつ、投稿ビュワーウィンドウ１０にてエンディング用のゲームテキストを表示して（ステップＳ２７２）、今回のプレイに係るゲーム端末処理を終了する。
【０１７０】
以上、本実施形態によれば、ゲーム実行中であってもゲーム内から投稿サイトに任意に投稿したり（フリー投稿）、プレーヤによる任意の投稿やゲーム中に関連した投稿（応答要請自動投稿、応答投稿）をゲーム中でも閲覧することができる。しかも、その閲覧はゲームテキストと同じゲーム画面内に設けられた表示エリア内で行われるので、ゲームソフトと投稿ビュワーソフトとを別々に実行して表示する場合に比べて違和感がなく、ゲームプレイと投稿サイトの利用とを並行した「ながらプレイ」が可能となる。更には、プレーヤの追跡対象ユーザの投稿もまた、ゲーム中であっても自動的に表示されるので、一々、追跡対象ユーザの投稿を気にして、ソフトウェアの切り換えなどをする必要がなく、利便性が高い。また、ゲームに関する情報が投稿サイトに自動的に投稿されることになるので、投稿サイトのビュワーソフトでもゲームの重要な展開や進捗を知ることができ、便利である。
近年、投稿サイトの利用が恒常化する傾向にあり、友人との主たるコミュニケーションとして利用される事が多い事情を鑑みれば、本実施形態は単なる利便性の向上のみならず、ゲームをしながら投稿サイトを通じて友人とコミュニケーションするといった新たな楽しみ方を実現できる。
【０１７１】
しかも、そのゲーム進行には、応答投稿が影響するので、応答投稿の投稿主は単なる傍観者以上の係わりがあることとなる。つまり、本実施形態は、投稿サイトを利用したコミュニケーションのリアルな話題提供を提供し、よりゲームを盛り上げることもできる。
【０１７２】
また更に、追跡対象ユーザの投稿もまたゲーム進行に影響を与え得るので、プレーヤは日ごろその動向を気にしている追跡対象ユーザとゆるやかに繋がりつつゲームをしているような新しい興趣を得ることができる。
【０１７３】
〔第２実施形態〕
次に、本発明を適用した第２実施形態について説明する。尚、第１実施形態と同様の構成要素については、同じ符号を付与して詳細な説明は省略するものとする。
【０１７４】
本実施形態におけるシステムの構成は、図１で示した第１実施形態のそれのと同様である。また、図４〜図９で示した投稿ビュワーウィンドウ１０の表示に関する特徴やゲーム進行制御に関する特徴についても同様である。
【０１７５】
図２２は、本実施形態における投稿ビュワーウィンドウ１０で時系列表示させるためのデータをどのように取得するかを示した概念図である。
第１実施形態との差異は、ゲームテキストデータは、ゲームサーバシステム１１３０から携帯型ゲーム装置１４００に直接的に提供されるのではなく、ゲームサーバシステム１１３０から投稿サイトへの投稿という形を経て間接的に提供される点にある。その意味において、本実施形態では、ゲームテキストと応答要請を本実施形態における自動投稿の対象としている。
【０１７６】
また、フリー投稿については、携帯型ゲーム装置１４００が投稿サイトサーバシステム１１００へ直接アクセスしてフリー投稿を実行するのではなく、ゲームサーバシステム１１３０へフリー投稿データを送信して投稿の実行を代行してもらう点が異なる。
【０１７７】
よって、携帯型ゲーム装置１４００は、投稿サイトサーバシステム１１００から随時最新の投稿データを取得し、取得した投稿データの中からゲームテキスト、フリー投稿、応答要請投稿、追跡対象ユーザ投稿を選別し、投稿ビュワーウィンドウ１０にて表示する。尚、投稿サイトの仕様や利用規約によって、取得する投稿データの種類を指定できる場合には投稿データの種類別の選別は省略できる。
【０１７８】
また、ゲームテキストを投稿データの形で取得することに起因して、本実施形態の携帯型ゲーム装置１４００は、適宜アイコンの差し換えを行う。
例えば、ゲームテキストについては、ユーザ名がプレーヤの投稿サイトユーザ名であって、且つ投稿内容が、（１）「は、」「が、」などの所定キーワードで始まる主語省略型の書式である場合や、（２）ゲームに登場するキャラクタ名とその直後の括弧（例えば「」）で囲われた文言がある書式の場合に、ゲームテキストの投稿データであると判定する。そして、投稿データに添付されるアイコンはユーザアイコン１４であるが、携帯型ゲーム装置１４００の処理部２００は、ゲームテキストを投稿ビュワーウィンドウ１０で表示する際、アイコンをプレーヤキャラクタのキャラクタアイコン１２に差し換える。
【０１７９】
また、応答要請自動投稿については、ユーザ名がプレーヤの投稿サイトユーザ名であって、且つ投稿内容に「救援」「救助」「応援」「ＨＥＬＰ」「助けて」「協力」などの応答を要請する所定キーワードが含まれている場合に、当該投稿を応答要請自動投稿の投稿データであると判定する。そして、同様に投稿データに添付されるアイコンをユーザアイコン１４からプレーヤキャラクタのキャラクタアイコン１２に差し換えてから投稿ビュワーウィンドウ１０で表示する。
【０１８０】
図２３は、本実施形態における携帯型ゲーム装置１４００の機能構成例を説明するための機能ブロック図である。本実施形態の携帯型ゲーム装置１４００は、基本的には第１実施形態のそれと同様の機能構成を有するが、本実施形態ではフリー投稿を自身で実行せずにゲームサーバシステム１１３０へ依頼するので、フリー投稿制御部２０８（図１１参照）に代えて、フリー投稿リクエスト制御部２０７を備える。
【０１８１】
また、本実施形態ではゲームテキストを投稿サイトの投稿データの形で取得するので、本実施形態におけるゲームテキスト取得制御部２１４は、投稿データを解析してゲームテキストに該当する投稿を選別する機能を有する。これに伴い、本実施形態の記憶部５００では、第１実施形態における取得済ゲームテキストデータ５３４（図１１参照）に代えて、取得済投稿データ５３６内にゲームテキスト投稿データ５３６ｅを含む。
また、本実施形態の時系列表示制御部２１６は、上述のようにアイコンの差し換えを行う機能を有する。
【０１８２】
図２４は、本実施形態におけるゲームサーバシステム１１３０の機能構成例を説明するための機能ブロック図である。
本実施形態のゲームサーバシステム１１３０は、基本的には第１実施形態のそれと同様の機能構成を有するが、本実施形態のゲームサーバ制御部２０１には、携帯型ゲーム装置１４００からリクエストを受けてフリー投稿を実行するフリー投稿制御部２３２が含まれる。フリー投稿制御部２３２は、携帯型ゲーム装置１４００からフリー投稿用の投稿内容を受信すると、その内容で投稿サイトへの新規投稿を作成し、投稿サイトへ投稿する制御を行う。
【０１８３】
また、本実施形態ではゲームテキストを投稿サイトの投稿データの形で取得するので、ゲームデータ提供制御部２２０は、ゲームテキストの選択とゲームテキストデータの生成に関する機能が省略されている。
【０１８４】
次に、本実施形態における処理の流れについて説明する。
本実施形態は、基本的には第１実施形態と同様の流れを有するが、次の点が異なる。
【０１８５】
第１の差異として、図２５に示すように、本実施形態のゲームサーバ処理では、第１実施形態のステップＳ３４〜Ｓ４２を省略する。そして、第１実施形態のステップＳ４４に代えて、ステップＳ３２で選択したゲームテキストを、プレーヤを投稿主として投稿サイトに投稿する処理を実行する（ステップＳ４６）。つまり、ゲームテキストを投稿する。
【０１８６】
第２の差異として、図２６に示すように、本実施形態のゲーム端末処理では、第１実施形態のステップＳ６０〜Ｓ６６を省略している。そして、ステップＳ７６に代えてフリー投稿の内容をゲームサーバシステム１１３０へ送信する処理を実行する（ステップＳ７８）。これに伴い、本実施形態のゲームサーバ処理では、このフリー投稿内容を受信して（ステップＳ８０）、サーバ処理部２００ｓがプレーヤを投稿主として投稿サイトに投稿する（ステップＳ８２）。これが、第１実施形態のフリー投稿に相当する。そして、フリー投稿の代行を実行したことを携帯型ゲーム装置１４００へ通知する（ステップＳ８４）。
【０１８７】
一方、携帯型ゲーム装置１４００の処理部２００は、このフリー投稿の代行実行通知を受信すると（ステップＳ８６のＹＥＳ）、投稿サイトから最新のフリー投稿の投稿データを取得し（ステップＳ８８）、ステップＳ８６で行われたフリー投稿を指定の表示形態で投稿ビュワーウィンドウ１０で表示させる（ステップＳ９０）。
【０１８８】
第３の差異として、図２７に示すように、本実施形態のゲームサーバ処理では、第１実施形態のステップＳ１５３に代えて、ステップＳ１５２で実施された特典付与をプレーヤに通知するゲームテキストを、プレーヤを投稿主として投稿サイトへ投稿する処理を実行し（ステップＳ１５４）、当該投稿の実行を携帯型ゲーム装置１４００へ通知する（ステップＳ１５５）。
【０１８９】
携帯型ゲーム装置１４００では、第１実施形態のステップＳ１５６に代えて、特典付与実行の通知を受信した場合に（ステップＳ１５７のＹＥＳ）、処理部２００は最新のゲームテキストの投稿データを投稿サイトから取得し（ステップＳ１５８）、これを投稿ビュワーウィンドウ１０で表示させる（ステップＳ１５９）。
【０１９０】
第４の差異として、本実施形態のゲームサーバ処理では、第１実施形態のステップＳ１７０〜Ｓ１７４に代えて、イベント結果を表すゲーム画像データの選択と、携帯型ゲーム装置１４００への送信し（ステップＳ１７１）、イベント結果を表すゲームテキストを選択して、選択したゲームテキストを、プレーヤを投稿主として投稿サイトへ投稿する処理を実行する（ステップＳ１７５）。
【０１９１】
そして、図２８に示すように、ゲーム画像データを受信した携帯型ゲーム装置１４００は（ステップＳ１８１のＹＥＳ）、受信したデータ画像データに基づいてイベント結果を表示させる（ステップＳ１８２）。次いで、最新のゲームテキストの投稿データを投稿サイトから取得し（ステップＳ１８３）、これを投稿ビュワーウィンドウ１０で表示させる（ステップＳ１８４）。
【０１９２】
第５の差異として、携帯型ゲーム装置１４００が、随時、投稿サイトから前回の取得周期以降に投稿された最新のフリー投稿、応援投稿、追跡対象ユーザ投稿の各投稿データを取得し、それらを投稿ビュワーウィンドウ１０内に表示する処理の流れ（ステップＳ２００〜Ｓ２１４）は第１実施形態と同様である。
本実施形態ではそれらに続いて、図２９に示すように、最新のゲームテキストと自動投稿の各投稿データを取得する（ステップＳ２１６）。そして、新しいゲームテキストや自動投稿が有って（ステップＳ２１８のＹＥＳ）、且つそれがゲームに登場するキャラクタの台詞でなければ（ステップＳ２２０のＮＯ）、携帯型ゲーム装置１４００の処理部２００は、当該投稿の投稿データに含まれているユーザアイコン１４をプレーヤキャラクタ５のキャラクタアイコン１２に差し換えて（ステップＳ２２２）、該当する投稿を投稿ビュワーウィンドウ１０内に指定の表示形態で表示させる（ステップＳ２２８）。
もしそれが、キャラクの台詞の場合には（ステップＳ２２０のＹＥＳ）、処理部２００は、所定のカットイン表示処理を実行して（ステップＳ２２４）、当該投稿の投稿データに含まれているユーザアイコン１４を台詞主のキャラクタのキャラクタアイコンに差し換えて（ステップＳ２２６）、該当する投稿を投稿ビュワーウィンドウ１０内に指定の表示形態で表示させる（ステップＳ２２８）。
【０１９３】
第６の差異として、図３０に示すように、本実施形態のゲームサーバ処理では、第１実施形態のステップＳ２５０に代えて、ステップＳ２４８で実施した特典付与の内容を通知するゲームテキストを投稿内容として、プレーヤを投稿主として投稿する処理を実行する（ステップＳ２５１）。
【０１９４】
〔第３実施形態〕
次に、本発明を適用した第３実施形態について説明する。尚、第１実施形態及び第２実施形態と同様の構成要素については、同じ符号を付与して詳細な説明は省略するものとする。
【０１９５】
本実施形態におけるシステムの構成は、図１で示した第１実施形態のそれと異なり、ゲームサーバシステム１１３０を含まない。但し、図４〜図９で示した投稿ビュワーウィンドウ１０の表示に関する特徴やゲーム進行制御に関する特徴については第１実施形態と同様である。
【０１９６】
図３１は、本実施形態における投稿ビュワーウィンドウ１０で時系列表示させるためのデータをどのように取得するかを示した概念図である。
本実施形態では、携帯型ゲーム装置１４００は、外部からゲーム画像データやゲームテキストデータを取得することはなく、ゲームプログラムを実行することにより自機でゲーム画面を生成処理し、ゲームテキストを選択して投稿ビュワーウィンドウ１０内で表示させる。但し、フリー投稿と自動投稿については、携帯型ゲーム装置１４００が投稿サイトサーバシステム１１００にアクセスして投稿処理する。そして、フリー投稿や自動投稿、応答投稿等の投稿データを取得する。
【０１９７】
図３２は、本実施形態における携帯型ゲーム装置１４００の機能構成例を示す機能ブロック図である。本実施形態における携帯型ゲーム装置１４００の処理部２００は、ゲーム制御部２０３を備える。
ゲーム制御部２０３は、プレーヤの操作入力に従ってビデオゲームを実現するための各種制御を実行する。例えば、ＲＰＧを３ＤＣＧ（３次元コンピュータグラフィックス）で実現するのであれば、
（１）仮想３次元空間内に各種背景オブジェクトを配置してゲームの舞台となるゲームフィールドを形成し、プレーヤキャラクタ５や敵ＮＰＣ９などのＮＰＣ（ノンプレーヤキャラクタ）のオブジェクトを配置する処理、
（２）操作入力部１００からの入力信号に応じてプレーヤキャラクタ５の移動や動作を制御する処理、
（３）イベントの発生処理、
（４）オブジェクトのヒット判定処理、
（５）プレーヤキャラクタの様子を撮影する仮想カメラの位置や姿勢など撮影パラメータを自動制御する処理、
（６）システムクロックを用いた制限時間などの計時処理、
（７）フラグ管理処理、
（８）ゲーム終了条件の判定処理、などを適宜実行するものとする。
その他、ゲーム進行に必要であれば外部装置から受信した情報のデコード、テクスチャの展開などを適宜実行することができる。尚、これらの処理は必須とは限らず、ビデオゲームの内容やその実現形態によって適宜追加・省略することができる。
【０１９８】
そして、ゲーム制御部２０３は、投稿サイト認証制御部２０６と、フリー投稿制御部２０８と、投稿データ取得制御部２１２と、時系列表示制御部２１６と、自動投稿状況検出部２２２と、自動投稿制御部２２４と、制限時間計時部２２６と、投稿解析部２２９と、投稿対応進行制御部２３０と、ゲームテキスト選択部２３４と、ゲーム画像生成部２３５とを含む。
【０１９９】
ゲームテキスト選択部２３４は、ゲームテキストライブラリ５８６から適当なゲームテキストを選択する。
ゲーム画像生成部２３５は、ゲーム世界におけるプレーヤキャラクタ５の様子を示す画像を生成するための処理を実行する。
【０２００】
図３３は、本実施形態における記憶部５００が記憶するデータの例を示す図である。本実施形態の記憶部５００は、第１実施形態や第２実施形態において携帯型ゲーム装置１４００及びサーバシステム１１３０に分散していたプログラムやデータ等をまとめて記憶する。
【０２０１】
具体的には、システムプログラム５０２と、処理部２００にゲーム制御部２０３としての機能を実現させるためのゲームプログラム５０９と、を記憶する。
また、時系列表示形態設定データ５１０と、時系列表示素材データライブラリ５３０と、アカウント情報５３２と、取得済投稿データ５３６と、時系列表示データ５３８と、ゲーム空間設定データ５５０と、登場キャラクタ設定データ５５１と、キャラクタアイコンライブラリ５５２と、登場アイテム設定データ５５３と、自動投稿設定データ５５４と、カットイン表示用データライブラリ５７０と、特典設定データ５８０と、ゲーム画像データライブラリ５８４と、ゲームテキストライブラリ５８６と、プレイデータ６００とを記憶することができる。その他、必要な制限時間のカウンタ値や、フラグ値などを適宜記憶することができる。
【０２０２】
図３４〜図３６は、本実施形態における携帯型ゲーム装置１４００による処理の流れを説明するためのフローチャートである。
図３４に示すように、携帯型ゲーム装置１４００の処理部２００は、ゲーム開始前にアカウント情報の入力とその記憶し（ステップＳ２〜Ｓ４）、プレーヤの投稿サイトユーザ名をプレーヤ名として設定し（ステップＳ１２）、プレーヤキャラクタの選択・設定の処理を実行する（ステップＳ１４）。
【０２０３】
ゲームが開始操作を検出したならば（ステップＳ２０のＹＥＳ）、ゲーム進行制御を開始し（ステップＳ２８）、ゲーム画面の表示を開始する。すなわち、プレーヤキャラクタ５の様子を描くゲーム画像を生成と表示を開始する（ステップＳ２９）。
【０２０４】
処理部２００は、ゲーム進行制御に応じて適当なタイミングでゲームテキストを選択すると（ステップＳ３２）、選択したゲームテキストの先頭部分にプレーヤ名を挿入し（ステップＳ３４）、ゲームテキストがキャラクタの台詞であれば（ステップＳ６２のＹＥＳ）、その台詞主のキャラクタのカットイン表示をしてから（ステップＳ６４）、ゲームテキストを投稿ビュワーウィンドウ１０にて表示させる（ステップＳ６６）。尚、カットイン表示は適宜省略や間引きをしても良い。
【０２０５】
ゲーム中に、フリー投稿の編集操作を検出したならば（ステップＳ７０のＹＥＳ）、編集操作に応じてフリー投稿の内容の編集処理し、それをプレーヤを投稿主として投稿サイトに投稿する（ステップＳ７２〜Ｓ７６）。そして、投稿サイトから最新のフリー投稿の投稿データを取得し（ステップＳ８８）、指定の表示形態でフリー投稿を投稿ビュワーウィンドウ１０で表示する（ステップＳ９０）。
【０２０６】
図３５に示すように、ゲーム進行制御の結果、自動投稿条件を満たすゲーム状況になったならば、処理部２００は応答要請自動投稿を投稿サイトに行い（ステップＳ１００〜Ｓ１２２）。当投稿サイトから最新の自動投稿の投稿データを取得して（ステップＳ１２８）、ユーザアイコンをプレーヤキャラクタのキャラクタアイコンに差し換えて（ステップＳ１３０）、投稿ビュワーウィンドウ１０にて表示させる（ステップＳ１３２）。
【０２０７】
そして、処理部２００は、当該自動投稿実行から制限時間内に投稿された応答投稿の投稿データを投稿サイトから取得し（ステップＳ１３４〜Ｓ１３８）、応答投稿の内容を解析して、投稿内容に含まれているキーワードを検索し（ステップＳ１５１）、投稿に含まれていたキーワードに応じて特典を付与する処理を実行する（ステップＳ１５２）。続いて処理部２００は、応答投稿を投稿ビュワーウィンドウ１０にて表示させるとともに（ステップＳ１６０）、特典付与を通知するゲームテキストを投稿ビュワーウィンドウ１０にて表示させる（ステップＳ１６１）。
【０２０８】
加えて、自動投稿条件を満たすゲーム進行状況がイベントの発生であれば（ステップＳ１６４のＹＥＳ）、応答投稿に応じてイベントの成否を判定してゲーム進行に反映させ（ステップＳ１６６，Ｓ１６８）、イベント結果を表すゲーム画像を表示させる（ステップＳ１７１）。そして、イベント結果をプレーヤに通知するゲームテキストを指定の表示形態で投稿ビュワーウィンドウ１０内に表示させる（ステップＳ１８４）。
尚、ゲーム進行制御の結果が自動投稿条件を満たすゲーム状況になっていなければ（ステップＳ１００のＮＯ）、本実施形態におけるステップ１１２〜Ｓ１８４はスキップされる。
【０２０９】
また図３６に示すように、処理部２００は、随時、追跡対象ユーザの投稿データを投稿サイトから取得する（ステップＳ２４０〜Ｓ２４４）。もし、前回取得から現在までに新しい投稿がなされていれば（ステップＳ２４６のＹＥＳ）、処理部２００は当該新しい追跡対象ユーザ投稿をビュワーウィンドウ１０内で表示させるとともに（ステップＳ２４７）、当該投稿に応じて特典付与し（ステップＳ２４８）、特典付与の内容を通知するゲームテキストを指定の表示形態で投稿ビュワーウィンドウ１０内で表示させる（ステップＳ２５３）。
【０２１０】
ゲーム進行状況が所定のゲーム終了条件を満たすまで、処理部２００はこれらの処理は繰り返す。ゲーム終了条件を満たせば（ステップＳ２６０のＹＥＳ）、エンディング処理を実行して（ステップＳ２７２）、一連の処理を終了する。
【０２１１】
〔変形例〕
以上、本発明を適用した実施形態について説明したが、本発明の適用可能な実施形態が上述の実施形態に限定されるものではなく、適宜、構成要素の追加・省略・変更を施すことができる。例えば、「コンテンツ」の一例としてゲームの場合の実施形態を説明したが、プレーヤ（ユーザ）の操作等に応じて変化する動画や小説、音楽の類のコンテンツに本発明を適用することとしてもよい。
【０２１２】
［その１］
例えば、上記実施形態では、プレーヤが使用する端末装置の例として、携帯型ゲーム装置１４００を例に挙げて説明したがこれに限らない。例えば、業務用ゲーム装置や、据置型家庭用ゲーム装置は勿論、機能的に“コンピュータ”として使用可能な電子機器を用いることもできる。より具体的には、アプリケーションソフトが実行可能な情報端末装置、携帯電話機、スマートフォン、コンパクトデジタルカメラ、音楽プレーヤ、パソコン、カーナビと言った電子機器を用いることもできる。
【０２１３】
［その２］
また、上記実施形態ではＲＰＧを実行する例を示したが、ゲームジャンルはＲＰＧに限らず、シューティングゲームや格闘ゲーム、アクションゲーム、恋愛シミュレーションゲーム、育成ゲーム、戦略ゲームなど、ゲーム進行に応じてゲームテキストを表示する要素が含まれるゲームであればその他のジャンルでも構わない。
【０２１４】
［その３］
また、第１実施形態では、自動投稿を投稿ビュワーウィンドウ１０で表示する際、投稿サイトから提供された自動投稿の投稿データに付属してくるユーザアイコン１４を、プレーヤキャラクタのキャラクタアイコン１２に差し換えしている。しかし、ユーザアイコン１４とプレーヤキャラクタのキャラクタアイコン１２との２つを表示して、ゲームテキストであるが投稿された内容でもあることをプレーヤが認識しやすいようにしても良い。或いは、プレーヤキャラクタを含むデザインであるが、投稿されことをイメージさせる特別なデザイン（例えば、メガホンを持っているとか）のキャラクタアイコンに差し換えて、差別化することでその目的を果たすとしても良い。
【０２１５】
［その４］
また、上記実施形態におけるアイコンは、適宜アバターに読み替えることができる。
【０２１６】
［その５］
また、第１実施形態の携帯型ゲーム装置１４００は、ゲームサーバシステム１１３０からゲーム画像データとゲームテキストデータを取得する構成としているが、ＵＲＬに置き換えることもできる。すなわち、ゲームサーバシステム１１３０が、ゲーム画像データとゲームテキストデータの代わりに、プレーヤキャラクタの様子及び投稿ビュワーウィンドウ１０を含むウェブページを生成し、携帯型ゲーム装置１４００へはこの生成したウェブページのＵＲＬを送信する構成としても良い。同様のことは、第２実施形態にも言える。
【０２１７】
［その６］
また、第１及び第２実施形態におけるサーバシステム１１３０は、専用のサーバ装置に限らず、複数の携帯型ゲーム装置がピアツーピア接続し、その一台がホスト機として機能する構成、或いは複数機でホスト機能を分散実行する構成により実現することもできる。この場合には、ホスト機が、上述した「ゲームサーバ」の機能を有することとなる。
【０２１８】
［その７］
また、上記実施形態では、投稿サイトを利用したゲーム進行制御として、応答投稿と追跡対象ユーザ投稿とに基づいたゲーム進行制御、より詳しくはそれらの投稿内容に応じてゲーム進行に変化を与える例を示したが、対象とする投稿はこれらに限られない。例えば、プレーヤを投稿主とするその他の種類の投稿を同様に扱うことができる。
【０２１９】
具体的には、図３７に示すように、投稿対応制御部２３０が、フリー投稿対応制御部２３０ｃと、自動投稿対応制御部２３０ｄとを備える。
フリー投稿対応制御部２３０ｃは、フリー投稿に基づいてゲーム進行制御する。これに伴い、処理の流れには、投稿解析部２２９が新しいフリー投稿の内容を解析するステップと、それに続いてフリー投稿の解析結果が合致する特典付与設定データ５８０の適用条件５８１に対応する特典内容５８２の付与を行うステップとを適当なタイミングで実行するようにする。
自動投稿対応制御部２３０ｄは、自動投稿に基づいてゲーム進行制御する。これに伴い、処理の流れには、投稿解析部２２９が新しい自動投稿の内容を解析するステップと、それに続いて自動投稿の解析結果が合致する特典付与設定データ５８０の適用条件５８１に対応する特典内容５８２の付与を行うステップとを適当なタイミングで実行するようにする。
尚、投稿サイトを利用したゲーム進行制御において対象とする投稿は、応答投稿、追跡対象ユーザ投稿、フリー投稿、自動投稿の少なくとも何れか、望ましくは複数の組み合わせ（例えば、応答投稿とフリー投稿の組み合わせ、更にそれに自動投稿を含めた組み合わせなど）とするとゲーム進行に多様性が生まれて好ましい。
【０２２０】
［その８］
また、上記実施形態に、適宜所与の特定ユーザの投稿の内容に基づいてゲーム進行を制御する機能を追加することができる。
具体的には、図３８に示すように、第１及び第２実施形態であれば、ゲームサーバ処理部２００ｓのゲームサーバ制御部２０３の投稿データ取得制御部２１２を、第３実施形態であれば処理部２００のゲーム制御部２０３の投稿データ取得制御部２１２を、所与の特定ユーザの投稿のデータを取得する特定ユーザ投稿データ取得部２１２ａとして機能させる。尚、特定ユーザの定義情報は、例えばゲーム参加手続き時に、ゲームサーバシステム１１３０から配信される、予めゲーム提供事業者側によって設定されるものとする。
また、図３９に示すように、投稿解析部２２９を更に、特定ユーザの投稿の内容解析する特定ユーザ投稿解析部２２９ａとして機能させる。
【０２２１】
処理の流れとしては、第１及び第２実施形態であれば、ゲームサーバ処理部２００ｓのゲームサーバ制御部２０３が、第３実施形態であれば処理部２００のゲーム制御部２０３が、適当なタイミングで、投稿サイトから特定ユーザの投稿データを取得するステップと、投稿解析部２２９から特定ユーザの新しい投稿の内容を解析するステップと、それに続いて当該投稿の解析結果が合致する特典付与設定データ５８０の適用条件５８１に対応する特典内容５８２の付与を行うステップとを実行するようにする。
【０２２２】
［その９］
また、上記実施形態ではキーワードが検出されれば、検出数にかかわらず特典が付与される構成としたが、特典付与に際して検出数を用いて特典付与の発動の条件を設定することとしてもよい。例えば、ステップＳ１５１（図１９参照）にてキーワードを検出する際、検出したキーワード毎に検出数を集計する。一方、特典設定データ５８０（図１５参照）には、適用条件５８１に対応づけて発動条件を格納する構成とする。そして、発動条件として、キーワードの検出数を設定すると良い。この場合、サーバ処理部２００ｓは、投稿に含まれているキーワード別に応答投稿を集計するキーワード別集計機能を有することとなる。尚、キーワードの集計は、単語別に限らずカテゴリ別でも良い。
【０２２３】
また、キーワード別の集計結果を用いて、自動投稿を実行させる構成も可能である。
例えば、特定のキーワード（例えば「がんばれ」）の検出数が基準値に達した場合に、集計結果とともに自動投稿（例えば「がんばれ１００回いただきました！応援してくれるみんなありがとう！！」）といったお礼や感激の内容を自動投稿する構成とすると、応答投稿してくれた投稿サイトユーザへの失礼を回避できる。この場合、サーバ処理部２００ｓは、キーワードの集計結果を投稿サイトへ投稿する集計結果投稿制御機能を有すると言える。キーワードの集計をカテゴリ別にしている場合には、所定カテゴリの集計値が基準値に達した場合に、自動投稿をする構成とすると良い。
【符号の説明】
【０２２４】
３…プレーヤ
５…プレーヤキャラクタ
１０…投稿ビュワーウィンドウ
１２…キャラクタアイコン
１４，１６…ユーザアイコン
１３，１５，１７…テキスト表示部
１００…操作入力部
２００…処理部
２００ｓ…ゲームサーバ処理部
２０１…ゲームサーバ制御部
２０２…ゲーム端末制御部
２０３…ゲーム制御部
２０５…プレー参加制御部
２０６…投稿サイト認証制御部
２０７…フリー投稿リクエスト制御部
２０８…フリー投稿制御部
２０１…ゲームサーバ制御部
２１２…投稿データ取得制御部
２１２ａ…特定ユーザ投稿データ取得部
２１４…ゲームテキスト取得制御部
２１６…時系列表示制御部
２１７…表示形態制御部
２１８…アイコン添付表示制御部
２２０…ゲームデータ提供制御部
２２２…自動投稿状況検出部
２２４…自動投稿制御部
２２８…応答投稿データ取得制御部
２２９…投稿解析部
２２９ａ…特定ユーザ投稿解析部
２３０…投稿対応進行制御部
２３０ａ…応答投稿対応進行制御部
２３０ｂ…追跡対象ユーザ投稿対応進行制御部
２３０ｃ…フリー投稿対応進行制御部
２３６…ゲーム画像生成制御部
２３７…プログラム提供制御部
５００…記憶部
５００ｓ…サーバ記憶部
５０５…ゲームサーバプログラム
５０７…ゲーム端末プログラム
５１０…時系列表示形態設定データ
５３０…時系列表示素材データライブラリ
５３２…アカウント情報
５３４…取得済ゲームテキストデータ
５３６…取得済投稿データ
５３８…時系列表示データ
５５４…自動投稿設定データ
５７０…カットイン表示用データライブラリ
５８０…特典設定データ
５８４…ゲーム画像データライブラリ
５８６…ゲームテキストライブラリ
５９０…ゲーム空間データ
６００…プレイデータ
１１００…投稿サイトサーバシステム
１１０２…全投稿蓄積データ
１１０４…投稿サイトユーザ名
１１０５…ユーザアイコン
１１０８…投稿内容
１１１０…アカウント登録データ
１１１５…ユーザアイコン
１１１６…追跡対象リスト
１１３０…ゲームサーバシステム
１４００…携帯型ゲーム装置
【図１】
2013059570.tif 000003
【図２】
2013059570.tif 000004
【図３】
2013059570.tif 000005
【図４】
2013059570.tif 000006
【図５】
2013059570.tif 000007
【図６】
2013059570.tif 000008
【図７】
2013059570.tif 000009
【図８】
2013059570.tif 000010
【図９】
2013059570.tif 000011
【図１０】
2013059570.tif 000012
【図１１】
2013059570.tif 000013
【図１２】
2013059570.tif 000014
【図１３】
2013059570.tif 000015
【図１４】
2013059570.tif 000016
【図１５】
2013059570.tif 000017
【図１６】
2013059570.tif 000018
【図１７】
2013059570.tif 000019
【図１８】
2013059570.tif 000020
【図１９】
2013059570.tif 000021
【図２０】
2013059570.tif 000022
【図２１】
2013059570.tif 000023
【図２２】
2013059570.tif 000024
【図２３】
2013059570.tif 000025
【図２４】
2013059570.tif 000026
【図２５】
2013059570.tif 000027
【図２６】
2013059570.tif 000028
【図２７】
2013059570.tif 000029
【図２８】
2013059570.tif 000030
【図２９】
2013059570.tif 000031
【図３０】
2013059570.tif 000032
【図３１】
2013059570.tif 000033
【図３２】
2013059570.tif 000034
【図３３】
2013059570.tif 000035
【図３４】
2013059570.tif 000036
【図３５】
2013059570.tif 000037
【図３６】
2013059570.tif 000038
【図３７】
2013059570.tif 000039
【図３８】
2013059570.tif 000040
【図３９】
2013059570.tif 000041